(57)【要約】  本開示の少なくともいくつかの態様は、対流装置と共に使用されるホースクランプを特徴とする。ホースクランプは、内側表面並びに対向する外側表面を有する包囲要素、包囲要素から延在した把持構成要素、及び複数の係合要素を備える、包囲要素上に配設された又は包囲要素と一体の係合構成要素を含む。
2018500119.tif 000002
【特許請求の範囲】
【請求項１】
ホースクランプであって、
内側表面及び対向する外側表面を有する包囲要素と、
前記包囲要素から延在した把持構成要素と、
複数の係合要素を備える、前記包囲要素上に配設された又は前記包囲要素と一体の係合構成要素と、
を備える、ホースクランプ。
【請求項２】
前記包囲要素は、第１の端部及び第２の端部を有し、前記係合構成要素は、前記第１の端部に近接して配設された係合要素の第１のセットを備える、請求項１に記載のホースクランプ。
【請求項３】
前記係合構成要素は、前記第２の端部に近接して配設された係合要素の第２のセットを更に備える、請求項２に記載のホースクランプ。
【請求項４】
前記係合要素の第１のセットは、一列に配設された少なくとも３つの係合要素を備える、請求項２のホースクランプ。
【請求項５】
前記少なくとも３つの係合要素は、前記第１の端部から傾斜して一列に配設される、請求項４のホースクランプ。
【請求項６】
前記係合要素の第２のセットは、一列に配設された少なくとも３つの係合要素を備える、請求項３のホースクランプ。
【請求項７】
前記少なくとも３つの係合要素は、前記第２の端部から傾斜して一列に配設される、請求項６のホースクランプ。
【請求項８】
対流装置を使用して温度を制御するためのシステムであって、
膨張媒体源に接続するように構成されたホースと；
対流装置であって、
空気透過性表面を有する可撓性の第１の層と；
共通の周縁の周りのシールにより前記第１の層に接合して空気膜構造を形成する可撓性の第２の層；及び
前記空気膜構造内への開口部
を備える、対流装置と；
ホースクランプであって、
包囲要素；及び
前記包囲要素から延在した把持構成要素
を備える、ホースクランプと；
を備え、
前記ホースクランプは、前記ホースの端部を前記開口部に挿入したときに、前記対流装置と前記ホースとの概ね気密接続を維持するように構成される、
システム。
【請求項９】
前記包囲要素は、内側表面及び対向する外側表面を有し、前記内側表面の摩擦係数は、前記外側表面よりも高い、請求項８に記載のシステム。
【請求項１０】
前記対流装置は、
前記開口部の側部に沿った密閉型シールと；
前記密閉型シール中のスリットと、
を更に備え、
前記ホースクランプの側部は、前記ホースクランプの使用時に前記スリットを通るように構成される、
請求項８に記載のシステム。
【請求項１１】
前記ホースクランプは、
複数の係合要素を備える、前記包囲要素上に配設された又は前記包囲要素と一体の係合構成要素を
更に備える、請求項８に記載のシステム。
【請求項１２】
前記包囲要素は、第１の端部及び第２の端部を有し、前記係合構成要素は、前記第１の端部に近接して配設された係合要素の第１のセットを備える、請求項１１に記載のシステム。
【請求項１３】
前記係合構成要素は、前記第２の端部に近接して配設された係合要素の第２のセットを更に備える、請求項１２に記載のシステム。
【請求項１４】
前記包囲要素は、中間部分を有し、前記係合構成要素は、前記中間部分に近接して配設された係合要素の第３のセットを備える、請求項１３に記載のシステム。
【請求項１５】
前記包囲要素は、第１の端部及び第２の端部を有し、前記複数の係合要素のうちの少なくともいくつかは、前記第１の端部に近接して配設され、前記複数の係合要素のうちの少なくともいくつかは、前記第２の端部に近接して配設される、請求項１１に記載のシステム。
【発明の詳細な説明】
【技術分野】
【０００１】
本開示は、空気膜構造を有する対流装置、及び当該対流装置と共に使用するアクセサリに関する。
【発明の概要】
【０００２】
本開示の少なくともいくつかの態様は、ホースクランプであって、内側表面並びに対向する外側表面を有する包囲要素、包囲要素から延在した把持構成要素、及び複数の係合要素を備える、包囲要素上に配設された又は包囲要素と一体の係合構成要素を備える、ホースクランプを特徴とする。
【０００３】
本開示の少なくともいくつかの態様は、対流装置を使用して温度を制御するためのシステムであって、膨張媒体源に接続するように構成されたホースと；空気透過性表面を有する可撓性の第１の層；共通の周縁の周りのシールにより第１の層に接合して空気膜構造を形成する可撓性の第２の層；及び空気膜構造内への開口部を備える対流装置と；包囲要素及び包囲要素から延在した任意選択の把持構成要素を備えるホースクランプと、を備え、ホースクランプは、ホースの端部を開口部に挿入したときに、対流装置とホースとの概ね気密接続を維持するように構成される、対流装置を使用して温度を制御するためのシステムを特徴とする。
【図面の簡単な説明】
【０００４】
添付の図面は、本明細書に援用され、本明細書の一部をなすものであって、説明文と併せて本発明の利点及び原理を説明するものである。図中、
【０００５】
【図１Ａ】分離装置と任意選択のエアガイド装置とを有する対流装置の一実施形態の平面図である。
【０００６】
【図１Ｂ】２つの部分を部分的に分離した後の、図１Ａに示した実施形態の再構成の平面図である。
【０００７】
【図１Ｃ】図１Ａに示した対流装置を膨張させ、屈曲させたときの当該対流装置の拡大図である。
【０００８】
【図２Ａ】分離装置と任意選択のエアガイド要素とを有する対流装置の一実施形態の平面図である。
【０００９】
【図２Ｂ】２つの部分を部分的に分離した後の、図２Ａに示した実施形態の再構成の平面図である。
【００１０】
【図２Ｃ】図２Ａに示した対流装置と同様の対流装置を膨張させ、屈曲させたときの当該対流装置の拡大図である。
【００１１】
【図３Ａ】構成可能な対流装置の一例を示す図である。
【図３Ｂ】構成可能な対流装置の一例を示す図である。
【図３Ｃ】構成可能な対流装置の一例を示す図である。
【図３Ｄ】構成可能な対流装置の一例を示す図である。
【図３Ｅ】構成可能な対流装置の一例を示す図である。
【図３Ｆ】構成可能な対流装置の一例を示す図である。
【図３Ｇ】構成可能な対流装置の一例を示す図である。
【図３Ｈ】構成可能な対流装置の一例を示す図である。
【図３Ｉ】構成可能な対流装置の一例を示す図である。
【図３Ｊ】構成可能な対流装置の一例を示す図である。
【図３Ｋ】構成可能な対流装置の一例を示す図である。
【図３Ｌ】構成可能な対流装置の一例を示す図である。
【００１２】
【図４Ａ】エアガイド装置の一例を示す図である。
【図４Ｂ】エアガイド装置の一例を示す図である。
【図４Ｃ】エアガイド装置の一例を示す図である。
【図４Ｄ】エアガイド装置の一例を示す図である。
【図４Ｆ】エアガイド装置の一例を示す図である。
【図４Ｇ】エアガイド装置の一例を示す図である。
【図４Ｈ】エアガイド装置の一例を示す図である。
【００１３】
【図５Ａ】ホースクランプの一実施形態の斜視図である。
【００１４】
【図５Ｂ】図５Ａに示したホースクランプの側面図である。
【００１５】
【図５Ｃ】ホースクランプの別の例を示す図である。
【００１６】
【図６Ａ】包囲要素の内側表面に向いたホースクランプの平坦図である。
【００１７】
【図６Ｂ】図６Ａに示したホースクランプの斜視図である。
【００１８】
【図６Ｃ】図６Ａに示したホースクランプの側面図である。
【００１９】
【図６Ｄ】係合構成要素の例示的な構成を示す図である。
【図６Ｅ】係合構成要素の例示的な構成を示す図である。
【図６Ｆ】係合構成要素の例示的な構成を示す図である。
【図６Ｇ】係合構成要素の例示的な構成を示す図である。
【００２０】
【図７】ホースの接続を維持するために対流装置及びホースクランプを使用して温度を制御するためのシステムの一実施形態を示す図である。
【００２１】
【図８】対流装置を有するガウンの一実施形態を示す図である。
【００２２】
【図９】構成可能な対流装置の使用の例示的な流れ図である。
【００２３】
これらの図面中、同様の参照番号は、同様の要素を示す。上記で定義された図面は、一定の縮尺で描かれていない場合があり、本開示の様々な実施形態を示すものであるが、「発明を実施するための形態」で記述されるように、他の実施形態もまた想到される。全ての場合に、本開示は、本明細書で開示される開示内容を、明示的な限定によってではなく、例示的実施形態を表現することによって説明する。本開示の範囲及び趣旨に含まれる他の多くの変更及び実施形態を、当業者によって考案することが可能である点を理解されたい。
【発明を実施するための形態】
【００２４】
別途記載のない限り、本明細書及び特許請求の範囲で使用される特徴部の寸法、量、及び物理的特性を表わす全ての数字は、いずれの場合においても「約」なる語によって修飾されているものとして理解されたい。したがって、そうでない旨が示されない限り、上記の明細書及び添付の「特許請求の範囲」において示される数値パラメータは、本明細書に開示される教示を利用して当業者が得ようとする所望の特性に応じて変わり得る近似値である。端点による数値範囲の使用は、その範囲内の全ての数字（例えば、１〜５は、１、１．５、２、２．７５、３、３．８０、４、及び５を含む）、及びその範囲内の任意の範囲を含む。
【００２５】
本明細書及び添付の特許請求の範囲において使用するときに、単数形「ａ」、「ａｎ」、及び「ｔｈｅ」は、その内容について別段の明確な指示がない限り、複数の指示対象を有する実施形態を包含する。本明細書及び添付の特許請求の範囲において使用する場合、用語「又は」は、一般に、その内容物が特に明確な指示をしない限り、「及び／又は」を含む意味で使用される。
【００２６】
対流装置は一般に、気体状の物質を分配する装置を指す。例えば、対流装置は、加圧加温空気の流れを受け入れ、加圧空気に反応して膨張し、加温空気を空気膜構造内に分配させ、加温空気を身体の上に放ち、快適性を増す、震えを低減させる、及び低体温症を治療する又は防ぐ等の目的を達成することができる。いくつかの実施形態では、対流装置は、２つの層で形成される空気膜構造を有し、それぞれの層は、１つ以上のシートを含み、少なくとも１つの層は空気透過性であり、それにより、空気の分配が可能になる。本明細書で使用するとき、「膨張可能」とは、空気又は他の気体が大気圧より大きい圧力で構造物の内部に供給されるとき、体積が増える構造物を指す。典型的には、これらの構造物は、１００ｍｍＨｇ未満の圧力、好ましくは５０ｍｍＨｇ未満の圧力、より好ましくは２５ｍｍＨｇ未満の圧力のような比較的低圧で膨張する。いくつかの場合には、膨張可能なセクションの体積は、１００％を超えて増加し得る。
【００２７】
本開示の少なくともいくつかの実施形態は、再構成及び転換を促進する特徴部を有する対流装置を対象とし、例えば、対流装置の一部分を屈曲させる。典型的には、対流装置の空気膜構造は、一部分を屈曲したときに屈曲領域に近接して捻り取られる、又は摘み取られる。いくつかの実施形態では、対流装置は、屈曲領域における膨張媒体の圧力降下を低減させるように膨張媒体を方向付けるようになっている、空気膜構造内に配設されたエアガイド装置を含む。本明細書で使用される場合、「・・・に（in）」は、一般に、構造物の縁部を含めて、構造物における空間関係を説明するために使用される。例えば、対流装置は、エアガイド装置に近接して膨張したときに１つ以上のクリーズを形成するのに役立つエアガイド装置を含むことができる。いくつかの場合には、対流装置は、空気膜構造を２つの部分へと分離するようになっている分離装置を含み、２つの部分を元の相対位置から異なる相対位置へと配置することができる。例えば、２つの部分は、一般に、元の構成と同一の線に沿って延在しており、２つの部分を部分的に分離することができ、２つの部分が概ね平行になるように、それぞれの部分をそれぞれの元の位置から約９０度で屈曲させることができる。
【００２８】
本開示の少なくともいくつかの実施形態は、気密接続を向上させ、滑動を防止するために対流装置及びホースと共に使用するように設計されたホースクランプを対象とする。いくつかの実施形態では、ホースクランプは、使用者の操作を容易にするために、ホースの直径と把持構成要素とを一致させる包囲要素を含む。いくつかの場合には、ホースクランプは、ホースクランプの把持力を向上させるために包囲要素の内側表面に配設された係合構成要素を含む。係合構成要素は、例えば、複数の係合要素、複数のバンプ、複数の隆起等を含むことができる。いくつかの実装形態では、係合要素は、包囲要素の内側表面に一定のパターンで配設される。いくつかの場合には、係合要素のうちの少なくともいくつかは、包囲要素の一端又は両端に近接して配設される。
【００２９】
図１Ａは、分離装置と任意選択のエアガイド要素とを有する対流装置１００の一実施形態の平面図である。図１Ｂは、２つの部分を部分的に分離した後の、図１Ａに示した実施形態の再構成の平面図であり、図１Ｃは、図１Ａに示した対流装置１００を膨張させ、屈曲させたときの当該対流装置の拡大図である。この実施形態では、対流装置１００は、可撓性の第１の層１０７、可撓性の第２の層（図示せず）、開口部１３０、任意選択の分離装置１１０、及び任意選択のエアガイド装置１２０を有する。いくつかの場合には、可撓性の第１の層１０７は、空気透過性表面を有する。共通の周縁の周りの周縁シール１０６により第１の層に接合して空気膜構造１４０を形成する可撓性の第２の層、空気膜構造１４０は、第１の縁部１４１及び対向する第２の縁部１４２を有する。空気膜構造１４０は、第１の部分１４３、第２の部分１４４、及び第１の部分１４３と第２の部分１４４とを接続する膨張可能なチャネル１４５を有し、第１の部分と第２の部分とは概ね図１Ａに示すように、同一線に沿って延在している。いくつかの場合には、対流装置１００は、対流装置１００の元の構成で、腕を臨床位置に延ばした状態で人の上半身を覆うのに適した上半身用毛布として使用することができる。そのような場合には、対流装置１００を再配置して、例えば、人の下半身を覆うための下半身用毛布を形成することができる。
【００３０】
いくつかの実施形態では、対流装置１００は、空気膜構造１４０内への少なくとも１つの開口部１３０を含む。開口部１３０は、空気膜構造１４０を膨張させるために膨張媒体源（図示せず）を膨張媒体に接続して膨張媒体を供給することを可能にする任意の形態、例えば、図１Ａに示す縁部にあるスリーブ開口部とすることができる。他の例として、開口部１３０は、１つ以上の入口ポート、カフ、硬質カラーを有するポート、縁部のスリーブ開口部等を含むことができる。
【００３１】
いくつかの実施形態では、分離装置１１０は、空気膜構造１４０の第１の縁部１４１に近接して配設されている。いくつかの場合には、分離装置は、第１の縁部１４１から第２の縁部１４２に向かって延在するエンクロージャシール１１２と、エンクロージャシール１１２内の分離要素１１４とを含む。分離装置１１０は、空気膜構造を第１の部分１４３と第２の部分１４４とに分離するようになっており、したがって、２つの部分を再配置し、屈曲させることができる。２つの部分を取り付けたとき、第１の部分１４３は、方向１０３Ａに沿った長手方向軸線１０３を有し、第２の部分１４４は、方向１０５Ａに沿った長手方向軸線１０５を有する。いくつかの場合には、エンクロージャシール１１２の少なくとも一部分は、第１の縁部に対して概ね垂直である。エンクロージャシール１１２は、例えば、線、曲線、Ｔ形状、連続する閉鎖形状（例えば、矩形、卵形等）等の形状とすることができる。いくつかの場合には、分離要素１１４は、脆弱線、穿孔、スリット、開口部、面テープ、粘着性ストリップ等のうちの少なくとも１つを備える。分離要素１１４は、例えば、線、楔形、三角形、矩形、楕円形、湾曲形状等とすることができる。いくつかの場合には、分離要素１１４は、対流装置１１０を再配置するときに破って開けられる接続型要素である。いくつかの場合には、分離要素は、細い開口部（単数又は複数）のみを含み、例えば、開口部の全幅は２ｃｍ未満である。いくつかの場合には、空気膜構造１４０は、第１の縁部１４１と第２の縁部１４２との間に平均長さＬを有し、分離装置１１０の長さは、空気膜構造１４０の平均長さＬの１／２以上である。
【００３２】
いくつかの場合には、エアガイド装置１２０は、空気膜構造１４０の第２の縁部１４２に近接して、第１の部分１４３と第２の部分１４４との間に配設され、特に第１の部分１４３及び／又は第２の部分１４４を屈曲させたときに、膨張媒体流を２つの部分の間に方向付けるようになっている。いくつかの場合には、エアガイド装置１２０は、第１の部分１４３と第２の部分１４４とを接続する膨張可能なチャネル１４５に配設される。本明細書で使用される場合、「膨張可能なチャネルに」又は「膨張可能なチャネル内に」は、部分的に膨張チャネルの中にあることを含む。いくつかの場合には、エアガイド装置１２０は、構成可能な対流装置１００を膨張させたときにエアガイド装置の縁部におけるクリーズの形成を促進するように構成され、第１の部分及び第２の部分のうちの少なくとも１つは、（例えば、図１Ｃに示すように）対流装置１００の一部を屈曲させるように再配置される。空気膜構造１４０は幅Ｗを有し、第２の縁部１４２は、第１の端部１４２Ａ及び第２の端部１４２Ｂを有する。
【００３３】
いくつかの場合には、エアガイド装置１２０は、始点が第１の端部１４２Ａから幅の１／４の距離であり、終点が第２の端部１４２Ｂから幅の１／４の距離である、空気膜構造の中央部分に配設される。いくつかの場合には、エアガイド装置１２０は、始点が第１の端部１４２Ａから幅の２／５の距離であり、終点が第２の端部１４２Ｂから幅の２／５の距離である、空気膜構造の中央部分に配設される。いくつかの場合には、エアガイド装置１２０は、第２の縁部１４２に近く、かつ、第１の縁部１４１から離れている、膨張可能なチャネル１４５の一部分に配設されている。いくつかの実施形態では、エアガイド装置１２０は、第２の縁部１４２から空気膜構造１４０に向かって延在したガイドシールを備える。図示した実施形態では、エアガイド装置１２０は、第２の縁部１４２から空気膜構造１４０に向かってそれぞれ延在した２つのガイドシール１２１及び１２２を備える。いくつかの場合には、２つのガイドシール（１２１、１２２）は、空気膜構造１４０の異なる部分（第１の部分１４３又は第２の部分１４４）に方向付けられる。いくつかの場合には、２つのガイドシール（１２１、１２２）は、互いに対して概ね垂直である。
【００３４】
図１Ｂは、空気膜構造１４０の第１の部分１４３及び第２の部分１４４を、部分的に分離した後にどのように再配置することができるかについて示している。いくつかの場合には、０°〜９０°の角度１３で第１の部分１４３を回転させることができ、したがって、第１の部分１４３の長手方向軸線１０３は、方向１０３Ａから角度１３の方向１０３Ｂに沿っている。同様に、０°〜９０°の角度１５で第２の部分１４４を回転させることができ、したがって、第２の部分１４４の長手方向軸線１０５は、方向１０５Ａから角度１５の方向１０５Ｂに沿っている。第１の部分１４３と第２の部分１４４の両方を約９０°屈曲させると、第１の部分１４３と第２の部分１４４とは、互いに対して概ね平行となるように配置される。
【００３５】
図１Ｃは、図１Ａに示した対流装置１００を膨張させ、屈曲させたときの当該対流装置の拡大図である。第１の部分１４３及び第２の部分１４４は、２つの部分が互いに近づき、対流装置１００の一部が屈曲している位置に再配置される。図示した実施形態では、エアガイド装置１２０は、屈曲領域における膨張媒体の流速が低減されるが大幅には低減されないように、ガイドシール１２１に沿った１つ以上のクリーズ１２１Ｃ及びガイドシール１２２に沿った１つ以上のクリーズ１２２Ｃの形成を促進する。いくつかの場合には、エアガイド装置１２０は、捻りの影響及び空気圧力の降下を低減するために対流装置１００を膨張させたときに対流装置１００を屈曲させる１つ以上のクリーズの形成を促進する。
【００３６】
第１の層１０７及び第２の層のそれぞれは、１つ以上のシートを含み得、それぞれのシートは、異なる材料から形成され得る。いくつかの実施では、第１の層１０７及び／又は第２の層は、熱シール性の高分子材料の上面シートに結合することができる高分子材料で構成される、可撓性があり、繊維状で、好ましくは不織布構造から形成された下面シートを含む。例えば、下面シートは不織布の水流交絡ポリエステル材料であってもよく、上面層は、ポリエステル層の上に押出被覆される、熱積層される、又は粘着的に積層されるポリプロピレンフィルムなどのポリオレフィンを含んでもよい。あるいは、下面シートは不織布の紙ベースの材料を含んでもよく、それにポリエチレン又はポリプロピレンフィルムのどちらかを含む上面層が接着積層される。一実施形態では、上面及び下面のシートは、熱シール性プラスチックの層が予め積層された吸収性のティッシュペーパーの層で作ることができる。いくつかの実施形態では、第１の層及び第２の層は共に、同じ高分子材料を含むことができる。
【００３７】
いくつかの実施形態では、第２の層は、上面シート及び下面シートを含み、第１の層１０７は、第２の層の上面シートと同じ材料を含んでいる。したがって、第１の層１０７は、第２の層のプラスチック上面に接合されたプラスチックのシートを含み得る。それは好ましくは、中断可能なヒートシール工程を提供するステーションを含む連続走行するウェブ工程によって付着される。この中断可能なヒートシール工程を制御して、細長いヒートシール１０８を形成することができ、細長いヒートシール１０８の間には膨張可能なチャネルが画定される。シール１０８は、連続した空気不透過性シール又は不連続な空気透過性シールとして形成することができる。中断可能なヒートシール工程を使用して、連続した継ぎ目を形成することができ、その継ぎ目のうちの１つは、第２の層及び第１の層１０７の周縁の継ぎ目１０６である。いくつかの場合には、中断可能なヒートシール工程を使用して、不連続なヒートシール１０８を形成することができる。いくつかの場合、吸収性材料が、対流装置１００に適用されてもよく、例えば、単一材料層として適用することができる。吸収性材料は、熱処理によって又は接着結合によって、上プラスチック層に接合することができる。
【００３８】
いくつかの実施形態では、対流装置１００は、膨張すると、空気透過性層、第１の層及び／又は第２の層を介して、患者に対流装置１００へ導入された熱制御された膨張媒体を浴びさせることができるようになる。層は、例えば、空気透過性材料、アパーチャ、隙間、スリット等の様々な材料又は機械的構造を使用して、空気透過性であり得る。孔を有する空気透過性シートのある実施形態では、アパーチャの密度は、領域及び／又は膨張可能なセクションの中で変動し得る。
【００３９】
いくつかの実施形態では、第１の層１０７及び／又は第２の層は、それぞれ片側にポリプロピレンが被覆された、ポリオレフィン不織布の押出被覆から作られる。いくつかの他の実施形態では、第１の層１０７及び／又は第２の層は、ポリオレフィンをベースとした押出被覆を有するポリ乳酸スパンボンドであり得る。第１の層１０７及び第２の層のうちの１つは、打ち抜き、スリッティング、又は切断により形成された孔を有してもよく、加圧された膨張媒体が膨張したセクションから当該層まで流れることが可能になる。いくつかの場合には、両方の層を通して孔を開けることができる。いくつかの場合には、対流装置１００を組み立てるとき、第１の層１０７のポリプロピレンが被覆された側は、周縁１０６、及び１つ以上の位置１０８で第２の層のポリプロピレンが被覆された側に密閉され、構造を形成する。密閉工程は、例えば、超音波溶接、高周波溶接、熱溶着等の様々な技法を使用することができる。代替的には、第１の層１０７及び第２の層はそれぞれ、ポリプロピレンとポリオレフィンウェブとの積層体を含んでもよく、加圧空気の通過をサポートするように第１の層１０７及び第２の層のうちの少なくとも１つに孔が形成される。更に別の実施形態では、第１の層１０７及び第２の層のうちの少なくとも１つは、空気透過性材料、例えば、スパンボンド−メルトブローン−スパンボンド（ＳＭＳ）不織布材料等を使用することができる。
【００４０】
図２Ａは、分離装置及び任意選択のエアガイド要素を有する対流装置２００の一実施形態の平面図である。図２Ｂは、２つの部分を部分的に分離した後の、図２Ａに示した実施形態の再構成の平面図であり、図２Ｃは、図２Ａに示した対流装置と同様の対流装置を膨張させ、屈曲させたときの当該対流装置の拡大図である。この実施形態では、対流装置２００は、可撓性の第１の層２０７、第２の層（図示せず）、開口部２３０、任意選択の分離装置２１０、及び任意選択のエアガイド装置２２０を有する。いくつかの場合には、可撓性の第１の層２０７は、空気透過性表面を有する。共通の周縁の周りのシール２０６により第１の層に接合して空気膜構造２４０を形成する可撓性の第２の層、空気膜構造２４０は、第１の縁部２４１及び対向する第２の縁部２４２を有する。空気膜構造２４０は、第１の部分２４３、第２の部分２４４、及び第１の部分２４３と第２の部分２４４とを接続する膨張可能なチャネル２４５を有し、第１の部分２４３と第２の部分２４４とは、図２Ａに示したように、互いに対して概ね平行である。いくつかの場合には、対流装置２００は、膨張可能な下半身用毛布、上半身用毛布、又は全身用毛布である。図２Ａ〜図２Ｃに示す構成要素は、図１Ａ〜図１Ｃに示した対応する構成要素と同一又は類似の要素、組成、構成及び特徴部を有することができる。
【００４１】
いくつかの実施形態では、対流装置２００は、空気膜構造２４０内への少なくとも１つの開口部２３０を含む。開口部２３０は、空気膜構造２４０を膨張させるために膨張媒体源（図示せず）を膨張媒体に接続して膨張媒体を供給することを可能にする任意の形態、例えば、図２Ａに示す入口ポートとすることができる。他の例として、開口部２３０は、１つ以上の、入口ポート、カフ、縁部のスリーブ開口部等を含むことができる。
【００４２】
いくつかの実施形態では、分離装置２１０は、空気膜構造２４０の第１の縁部２４１に近接して配設されている。いくつかの場合には、分離装置は、第１の縁部２４１から第２の縁部２４２に向かって延在したエンクロージャシール２１２と、エンクロージャシール２１２内の分離要素２１４とを含む。分離装置２１０は、空気膜構造の一部を２つの部分（２４３、２４４）に分離するようになっており、したがって、２つの部分の相対位置を再配置することができる。２つの部分を取り付けたとき、第１の部分２４３は、方向２０３Ａに沿った長手方向軸線２０３を有し、第２の部分２４４は、方向２０５Ａに沿った長手方向軸線２０５を有する。いくつかの場合には、エンクロージャシール２１２の少なくとも一部分は、第１の縁部に対して概ね垂直である。エンクロージャシール２１２は、例えば、線、曲線、連続する閉鎖形状（例えば、矩形、卵形等）、等の形状とすることができる。分離要素２１４は、脆弱線、穿孔、及びスリットのうちの少なくとも１つを備える。
【００４３】
いくつかの場合には、エアガイド装置２２０は、空気膜構造２４０の第２の縁部２４２に近接して、第１の部分２４３と第２の部分２４４との間に配設され、特に２つの部分の一方又は両方を屈曲させたときに、膨張媒体流を２つの部分の間に方向付けるようになっている。いくつかの場合には、エアガイド装置２２０は、第１の部分２４３と第２の部分２４４との間に配設される。いくつかの場合には、エアガイド装置２２０は、構成可能な対流装置２００を膨張させたときにエアガイド装置の縁部におけるクリーズの形成を促進するように構成され、第１の部分及び第２の部分のうちの少なくとも１つは、（例えば、図２Ｃに示すように）対流装置２００の一部を屈曲させるように再配置される。いくつかの実施形態では、エアガイド装置２２０は、第２の縁部２４２から空気膜構造２４０に向かって延在したガイドシールを備える。図示した実施形態では、エアガイド装置２２０は、第２の縁部２４２から空気膜構造２４０に向かってそれぞれ延在した２つのガイドシール２２１及び２２２を備える。いくつかの場合には、２つのガイドシール（２２１、２２２）は、空気膜構造２４０の異なる部分（第１の部分２４３又は第２の部分２４４）に方向付けられる。いくつかの場合には、２つのガイドシール（２２１、２２２）は、互いに対して概ね垂直である。
【００４４】
図２Ｂは、空気膜構造２４０の第１の部分２４３及び第２の部分２４４を、部分的に分離した後にどのように再配置することができるかについて示している。いくつかの場合には、０°〜９０°の角度２３で第１の部分２４３を回転させることができ、したがって、第１の部分２４３の長手方向軸線２０３は、方向２０３Ａから角度２３の方向２０３Ｂに沿っている。同様に、０°〜９０°の角度２５で第２の部分２４４を回転させることができ、したがって、第２の部分２４４の長手方向軸線２０５は、方向２０５Ａから角度２５の方向２０５Ｂに沿っている。第１の部分２４３と第２の部分２４４の両方を約９０°回転させると、第１の部分２４３と第２の部分２４４とは概ね同一の線に沿って延在して配置される。例えば、対流装置２００は、対流装置２００の元の構成で、人の脚及び腹部を覆うための下半身用毛布として使用することができ、かつ、再配置して、胸部及び延ばした腕を覆うための上半身用毛布として使用することができる。
【００４５】
図２Ｃは、図２Ａに示した対流装置と同様の対流装置２００Ｃを膨張させ、屈曲させたときの当該対流装置の拡大図である。対流装置２００Ｃは、周縁シール２０６、膨張可能なチャネルを生成するシール２０８、当初は平行に配置される第１の部分２４３及び第２の部分、並びに波状シールであるエアガイド装置２２０Ｃを含む。図示した実施形態では、第１の部分２４３及び第２の部分２４４は概ね互いから延在するように再配置され、空気膜構造２４０は、エアガイド装置２２０Ｃに沿って形成されたクリーズ２２２Ｃを有し、それにより、膨張媒体の流速は、空気膜構造内で概ね均一であり、例えば、流速は屈曲領域において低減されるが大幅には低減されない。いくつかの場合には、エアガイド装置２２０Ｃは、捻りの影響及び圧力降下を低減するために対流装置２００Ｃを膨張させたときに対流装置２００Ｃを屈曲させる１つ以上のクリーズ２２２Ｃの形成を促進する。
【００４６】
図３Ａ〜図３Ｌは、構成可能な対流装置の様々な例を示している。図３Ａ〜図３Ｌに示す例の構成要素は、図１Ａ〜図２Ｃに示した対応する構成要素と同一又は類似の要素、組成、構成及び特徴部を有することができる。図３Ａは、任意選択の分離装置及び任意選択のエアガイド要素を有する対流装置３００Ａの一実施形態の平面図であり、図３Ｂは、２つの部分を部分的に分離させた後の図３Ａに示した実施形態の再構成の平面図を示す。この実施形態では、対流装置３００Ａは、可撓性の第１の層３０７Ａ、可撓性の第２の層（図示せず）、開口部３３０Ａ、任意選択の分離装置３１０Ａ、及び任意選択のエアガイド装置３２０Ａを有する。いくつかの場合には、可撓性の第１の層３０７Ａは、空気透過性表面を有する。共通の周縁の周りのシール３０６Ａにより第１の層に接合して空気膜構造３４０Ａを形成する可撓性の第２の層、及び膨張可能なチャネルを形成するためのシール３０８Ａ、空気膜構造３４０Ａは、第１の縁部３４１Ａ及び対向する第２の縁部３４２Ａを有する。空気膜構造３４０Ａは、第１の部分３４３Ａ、第２の部分３４４Ａ、及び第１の部分３４３Ａと第２の部分３４４Ａとを接続する膨張可能なチャネル３４５Ａを有する。いくつかの場合には、対流装置３００Ａは、臨床位置に延ばした状態で人の上半身を覆うのに適した上半身用毛布として使用することができる。
【００４７】
いくつかの実施形態では、対流装置３００Ａは、空気膜構造３４０Ａ内への少なくとも１つの開口部３３０Ａを含む。開口部３３０Ａは、空気膜構造３４０Ａを膨張させるために膨張媒体源（図示せず）を膨張媒体に接続して膨張媒体を供給することを可能にする任意の形態、例えば、図３Ａに示す縁部にあるスリーブ開口部とすることができる。他の例として、開口部３３０Ａは、１つ以上の、入口ポート、カフ、縁部のスリーブ開口部等を含むことができる。
【００４８】
いくつかの実施形態では、分離装置３１０Ａは、空気膜構造３４０Ａの第１の縁部３４１Ａに近接して配設されている。いくつかの場合には、分離装置３１０Ａは、第１の縁部３４１Ａから第２の縁部３４２Ａに向かって延在したエンクロージャシール３１２Ａ及びエンクロージャシール３１６Ａを含み、分離装置３１４Ａは、エンクロージャシール３１２Ａ内にあり、分離要素３１８Ａはエンクロージャシール３１６Ａ内にある。分離装置３１０Ａは、空気膜構造を２つの部分（３４３Ａ、３４４Ａ）に部分的に分離するようになっており、したがって、２つの部分の相対位置を再配置することができる。２つの部分が元の位置にあるときには、第１の部分３４３Ａは、方向３０３Ａに沿った長手方向軸線３０２Ａを有し、第２の部分３４４Ａは、方向３０５Ａに沿った長手方向軸線３０４Ａを有する。図示した例では、エンクロージャシール３１２Ａ及びエンクロージャシール３１４Ａは共に、曲線形状である。エンクロージャシール３１２Ａ及び／又はエンクロージャシール３１４Ａは、例えば、線、曲線、連続する閉鎖形状（例えば、矩形、卵形等）等の形状とすることができる。分離要素３１４Ａ及び／又は分離要素３１８Ａは、脆弱線、穿孔、及びスリットのうちの少なくとも１つを備える。いくつかの場合には、分離装置３１０Ａの長さは、第１の縁部３４１Ａと第２の縁部３４２Ａとの間の長さの半分よりも長い。
【００４９】
いくつかの場合には、エアガイド装置３２０Ａは、空気膜構造３４０Ａの第２の縁部３４２Ａに近接して配設され、膨張媒体流を方向付けるようになっている。いくつかの場合には、エアガイド装置３２０Ａは、第１の部分３４３Ａと第２の部分３４４Ａとの間に配設される。空気膜構造の元の構成では、第１の部分３４３Ａは、方向３０３Ａに沿って配設され、第２の部分３４４Ａは、方向３０５Ａに沿って配設され、３０３Ａ及び３０５Ｂは共に、対流装置の長手方向軸線に沿って配設されている。いくつかの実施形態では、エアガイド装置３２０Ａは、第２の縁部３４２Ａから空気膜構造３４０Ａに向かって延在したガイドシールを備える。図示した実施形態では、エアガイド装置３２０Ａは、第２の縁部３４２Ａから空気膜構造３４０Ａに向かってそれぞれ延在した２つのガイドシール３２１Ａ及び３２２Ａを備える。いくつかの場合には、２つのガイドシール（３２１Ａ、３２２Ａ）は、空気膜構造３４０Ａの異なる部分（第１の部分３４３Ａ又は第２の部分３４４Ａ）に方向付けられる。いくつかの場合には、２つのガイドシール（３２１Ａ、３２２Ａ）は、互いに対して概ね垂直である。
【００５０】
図３Ｂは、空気膜構造３４０Ａの第１の部分３４３Ａ及び第２の部分３４４Ａを、部分的に分離した後にどのように再配置することができるかについて示している。いくつかの場合には、０°〜９０°の角度３３Ａで第１の部分３４３Ａを回転させることができ、したがって、第１の部分３４３Ａは、空気膜構造の元の方向３０３Ａから角度３３Ａの方向３０３Ｂに沿っている。同様に、０°〜９０°の角度３５Ａで第２の部分３４４Ａを回転させることができ、したがって、第２の部分３４４Ａは、元の方向３０５Ａから角度３５Ａの方向３０５Ｂに沿っている。第１の部分３４３Ａと第２の部分３４４Ａの両方を約９０°屈曲させると、第１の部分３４３Ａと第２の部分３４４Ａとは、互いに対して概ね平行になるように配置される。
【００５１】
図３Ｃは、任意選択の分離装置及び任意選択のエアガイド要素を有する対流装置３００Ｃの一実施形態の平面図であり、図３Ｄは、２つの部分を部分的に分離させた後の図３Ｃに示した実施形態の再構成の平面図を示す。この実施形態では、対流装置３００Ｃは、可撓性の第１の層３０７Ｃ、可撓性の第２の層（図示せず）、開口部３３０Ｃ、任意選択の分離装置３１０Ｃ、及び任意選択のエアガイド装置３２０Ｃを有する。いくつかの場合には、可撓性の第１の層３０７Ｃの表面は、空気透過性である。共通の周縁の周りのシール３０６Ｃにより第１の層に接合して空気膜構造３４０Ｃを形成する可撓性の第２の層、膨張可能なチャネルを形成するためのシール３０８Ｃ、空気膜構造３４０Ｃは、第１の縁部３４１Ｃ、第１の縁部３４１Ｃに対向する第２の縁部３４２Ｃ、及び２つの側縁部（３４５Ｃ、３４６）を有する。空気膜構造３４０Ｃは、第１の部分３４３Ｃ、第２の部分３４４Ｃ、及び第１の部分３４３Ｃと第２の部分３４４Ｃとを接続する膨張可能なチャネル３４５Ｃを有する。いくつかの場合には、対流装置３００Ｃは、概ね矩形形状の膨張可能な毛布である。いくつかの場合には、対流装置３００Ｃは、人の下半身を覆うための下半身用毛布として使用することができる。
【００５２】
いくつかの実施形態では、対流装置３００Ｃは、空気膜構造３４０Ｃ内への少なくとも１つの開口部３３０Ｃを含む。開口部３３０Ｃは、空気膜構造３４０Ｃを膨張させるために膨張媒体源（図示せず）を膨張媒体に接続して膨張媒体を供給することを可能にする任意の形態、例えば、図３Ｃに示すポートの周りに硬質カラーを有する入口ポートとすることができる。他の例として、開口部３３０Ｃは、１つ以上の、入口ポート、カフ、縁部のスリーブ開口部等を含むことができる。
【００５３】
いくつかの実施形態では、分離装置３１０Ｃは、空気膜構造３４０Ｃの第１の縁部３４１Ｃに近接して配設されている。いくつかの場合には、分離装置は、第１の縁部３４１Ｃから第２の縁部３４２Ｃに向かって延在したエンクロージャシール３１２Ｃを含み、分離要素３１４Ｃは、エンクロージャシール３１２Ｃ内にあり、分離要素３１４Ｃは、それぞれ対応する側縁部（３４５Ｃ、３４６Ｃ）に向いた２つの延在部（３１６Ｃ、３１８Ｃ）を有する。図示した例では、延在部（３１６Ｃ、３１８Ｃ）は、直線、曲線、スリット等とすることができる。分離装置３１０Ｃは、空気膜構造を２つの部分（３４３Ｃ、３４４Ｃ）に部分的に分離するようになっており、したがって、２つの部分の相対位置を再配置することができる。図示した例では、エンクロージャシール３１２Ｃは、Ｔ形状である。エンクロージャシール３１２Ｃは、例えば、線、曲線、連続する閉鎖形状（例えば、矩形、卵形等）、等の形状とすることができる。分離要素３１４Ｃは、脆弱線、穿孔、スリット、面テープ、粘着性ストリップ等のうちの少なくとも１つを備える。いくつかの場合には、分離装置３１０Ｃの長手方向長さは、第１の縁部３４１Ｃと第２の縁部３４２Ｃとの間の長さの半分よりも長い。
【００５４】
いくつかの場合には、エアガイド装置３２０Ｃは、空気膜構造３４０Ｃの第２の縁部３４２Ｃに近接して配設され、膨張媒体流を方向付けるようになっている。いくつかの場合には、エアガイド装置３２０Ｃは、第１の部分３４３Ｃと第２の部分３４４Ｃとを接続する膨張可能なチャネル３４５Ｃに配設される。いくつかの実施形態では、エアガイド装置３２０Ｃは、２つのガイドシール３２１Ｃ及び３２２Ｃを備え、それぞれのガイドシール（３２１Ｃ、３２２Ｃ）は、第２の縁部３４２Ｃをそれぞれ対応する側縁部（３４５Ｃ、３４６Ｃ）に波状接続している。図示した実施形態では、エアガイド装置３２０Ｃは、２つのガイドシール（３２１Ｃ、３２２Ｃ）にそれぞれ対向する２つの波状ガイドシール３２３Ｃ及び３２４Ｃを更に備える。この例では、ガイドシール（３２１Ｃ、３２２Ｃ）は、周縁の周りのシール３０６Ｃと一体である。いくつかの場合には、２つのガイドシール（３２１Ｃ、３２２Ｃ）のそれぞれは、空気膜構造３４０Ｃの異なる部分（第１の部分３４３Ｃ又は第２の部分３４４Ｃ）に近接している。
【００５５】
図３Ｄは、空気膜構造３４０Ｃの第１の部分３４３Ｃを、部分的に分離した後にどのように再配置することができるかについて示している。いくつかの場合には、０°〜１８０°又はそれ以上の角度で第１の部分３４３Ｃを回転させることができる。同様に、図示されていないが、０°〜１８０°の角度で第２の部分３４４Ｃを回転させることができる。第１の部分３４３Ｃと第２の部分３４４Ｃの両方を約９０°回転させると、第１の部分３４３Ｃと第２の部分３４４Ｃとは概ね同一の線に沿って再配置され、上半身用毛布として使用することができる。
【００５６】
図３Ｅは、任意選択の分離装置及び任意選択のエアガイド要素を有する対流装置３００Ｅの一実施形態の平面図であり、図３Ｆは、２つの部分を部分的に分離させた後の図３Ｅに示した実施形態の再構成の平面図を示す。この実施形態では、対流装置３００Ｅは、可撓性の第１の層３０７Ｅ、可撓性の第２の層（図示せず）、開口部３３０Ｅ、任意選択の分離装置３１０Ｅ、及び任意選択のエアガイド装置３２０Ｅを有する。いくつかの場合には、可撓性の第１の層３０７Ｅの表面は、空気透過性である。共通の周縁の周りのシール３０６Ｅにより第１の層に接合して空気膜構造３４０Ｅを形成する可撓性の第２の層、膨張可能なチャネルを形成するためのシール３０８Ｅ、空気膜構造３４０Ｅは、第１の縁部３４１Ｅ、第１の縁部３４１Ｅに対向する第２の縁部３４２Ｅ、及び２つの側縁部（３４５Ｅ、３４６）を有する。図示した例では、第２の縁部３４２Ｅは、２つの傾斜縁部（３４７Ｅ、３４８Ｅ）を含む。空気膜構造３４０Ｅは、第１の部分３４３Ｅ、第２の部分３４４Ｅ、及び第１の部分３４３Ｅと第２の部分３４４Ｅとを接続する膨張可能なチャネル３４５Ｅを有する。いくつかの場合には、対流装置３００Ｅは、人の下半身を覆うための下半身用毛布として使用することができる。
【００５７】
いくつかの実施形態では、対流装置３００Ｅは、空気膜構造３４０Ｅ内への少なくとも１つの開口部３３０Ｅを含む。開口部３３０Ｅは、空気膜構造３４０Ｅを膨張させるために膨張媒体源（図示せず）を膨張媒体に接続して膨張媒体を供給することを可能にする任意の形態、例えば、図３Ｅに示すポートの周りに硬質カラーを有する入口ポートとすることができる。他の例として、開口部３３０Ｅは、１つ以上の、入口ポート、カフ、硬質カラーを有するポート、縁部のスリーブ開口部等を含むことができる。
【００５８】
いくつかの実施形態では、分離装置３１０Ｅは、空気膜構造３４０Ｅの第１の縁部３４１Ｅに近接して配設されている。いくつかの場合には、分離装置は、第１の縁部３４１Ｅから第２の縁部３４２Ｅに向かって延在したエンクロージャシール３１２Ｅを含み、分離要素３１４Ｅは、それぞれ対応する側縁部（３４６Ｅ、３４９Ｅ）に向いた２つの延在部（３１６Ｅ、３１８Ｅ）を有し、２つの延在部（３１６Ｅ、３１８Ｅ）を有する分離装置３１４Ｅは、エンクロージャシール３１２Ｅ内にある。いくつかの場合には、延在部（３１６Ｅ、３１８Ｅ）は、直線、曲線、スリット等とすることができる。分離装置３１０Ｅは、空気膜構造を２つの部分（３４３Ｅ、３４４Ｅ）に部分的に分離するようになっており、したがって、２つの部分の相対位置を再配置することができる。図示した例では、エンクロージャシール３１２Ｅは、Ｔ形状である。エンクロージャシール３１２Ｅは、例えば、線、曲線、連続する閉鎖形状（例えば、矩形、卵形等）等の形状とすることができる。分離要素３１４Ｅは、脆弱線、穿孔、スリット、面テープ、粘着性ストリップ等のうちの少なくとも１つを備える。いくつかの場合には、分離装置３１０Ｅの長手方向長さは、第１の縁部３４１Ｅと第２の縁部３４２Ｅとの間の長さの半分よりも長い。
【００５９】
いくつかの場合には、エアガイド装置３２０Ｅは、空気膜構造３４０Ｅの傾斜部分（３４７Ｅ、３４８Ｅ）を含む第２の縁部３４２Ｅに近接して配設され、膨張媒体流を方向付けるようになっている。いくつかの場合には、エアガイド装置３２０Ｅは、第１の部分３４３Ｅと第２の部分３４４Ｅとの間に配設される。いくつかの実施形態では、エアガイド装置３２０Ｅは、エアガイド要素３２１Ｅ及び３２２Ｅの２つのセットを備え、エアガイド要素のそれぞれのセットは、第２の縁部３４２Ｅのそれぞれ対応した傾斜部分（３４７Ｅ、３４８Ｅ）に近接して配設される。いくつかの場合には、エアガイド要素は、例えば、円、卵形、正方形、矩形、多角形等のような、任意の閉鎖形状とすることができる。いくつかの場合には、エアガイド要素は、例えば、線、曲線等のような、任意の形状の小型シールとすることができる。本明細書で使用される場合、小型シールとは、例えば、２インチ（５．０８ｃｍ）未満の、長さ又は直径が比較的短いシールを指す。図示した例では、エアガイド装置３２０Ｅは、それぞれ対応するエアガイド要素（３２１Ｅ、３２２Ｅ）の２つのセットに対向し、かつ、分離装置３１０Ｅに近接して配設された、エアガイド要素３２３Ｅ及び３２４Ｅの２つのセットを更に備える。いくつかの場合には、エアガイド要素（３２１Ｅ、３２２Ｅ）の２つのセットは、空気膜構造３４０Ｅの異なる部分（第１の部分３４３Ｅ又は第２の部分３４４Ｅ）を対象としている。いくつかの実施形態では、エアガイド要素のセットを一定のパターンで配設することができる。いくつかの場合には、エアガイド要素のセットを等間隔で配設することができる。いくつかの場合には、エアガイド要素のセットは、周縁シール３０６Ｅから１インチ（２．５４ｃｍ）以下に配設される。いくつかの場合には、エアガイド要素のセットは、周縁シール３０６Ｅから２インチ（５．０８ｃｍ）以下に配設される。
【００６０】
図３Ｆは、空気膜構造３４０Ｅの第１の部分３４３Ｅ及び第２の部分３４４Ｅを、部分的に分離した後にどのように再配置することができるかについて示している。いくつかの場合には、０°〜１８０°角度で第１の部分３４３Ｅを回転させることができる。同様に、０°〜１８０°の角度で第２の部分３４４Ｅを回転させることができる。第１の部分３４３Ｅと第２の部分３４４Ｅの両方を約９０°回転させると、第１の部分３４３Ｅと第２の部分３４４Ｅとは概ね同一線に再配置される。
【００６１】
図３Ｇは、任意選択の分離装置及び任意選択のエアガイド要素を有する対流装置３００Ｇの一実施形態の平面図であり、図３Ｈは、２つの部分を部分的に分離させた後の図３Ｇに示した実施形態の再構成の平面図を示す。この実施形態では、対流装置３００Ｇは、可撓性の第１の層３０７Ｇ、可撓性の第２の層（図示せず）、開口部３３０Ｇ、任意選択の分離装置３１０Ｇ、及び任意選択のエアガイド装置３２０Ｇを有する。いくつかの場合には、可撓性の第１の層３０７Ｇの表面は、空気透過性である。共通の周縁の周りのシール３０６Ｇにより第１の層に接合して空気膜構造３４０Ｇを形成する可撓性の第２の層、膨張可能なチャネルを形成するためのシール３０８Ｇ、空気膜構造３４０Ｇは、第１の縁部３４１Ｇ、第１の縁部３４１Ｇに対向する第２の縁部３４２Ｇ、及び２つの側縁部（３４５Ｇ、３４６Ｇ）を有する。空気膜構造３４０Ｇは、第１の部分３４３Ｇ、第２の部分３４４Ｇ、及び第１の部分３４３Ｇと第２の部分３４４Ｇとを接続する膨張可能なチャネル３４５Ｇを有する。いくつかの場合には、対流装置３００Ｇは、人の下半身を覆うための下半身用毛布として使用することができる。
【００６２】
いくつかの実施形態では、対流装置３００Ｇは、空気膜構造３４０Ｇ内への少なくとも１つの開口部３３０Ｇを含む。開口部３３０Ｇは、空気膜構造３４０Ｇを膨張させるために膨張媒体源（図示でない）を膨張媒体に接続して膨張媒体を供給することを可能にする任意の形態、例えば、図３Ｇに示す入口ポートとすることができる。他の例として、開口部３３０Ｇは、１つ以上の、入口ポート、カフ、縁部のスリーブ開口部等を含むことができる。
【００６３】
いくつかの実施形態では、分離装置３１０Ｇは、空気膜構造３４０Ｇの第１の縁部３４１Ｇに近接して配設されている。いくつかの場合には、分離装置３１０Ｇは、第１の縁部３４１Ｇから第２の縁部３４２Ｇに向かって延在したエンクロージャシール３１２Ｇを含み、分離要素３１４Ｇは、それぞれ対応する側縁部（３４６Ｇ、３４９Ｇ）に向いた２つの延在部（３１６Ｅ、３１８Ｇ）を有し、分離要素３１４Ｇは、エンクロージャシール３１２Ｇ内に配設される。図示した例では、延在部（３１６Ｇ、３１８Ｇ）は、直線、曲線、スリット等とすることができる。分離装置３１０Ｇは、空気膜構造を２つの部分（３４３Ｇ、３４４Ｇ）に部分的に分離するようになっており、したがって、２つの部分の相対位置を再配置することができる。図示した例では、エンクロージャシール３１２Ｇは、概ねＴ形状である。エンクロージャシール３１２Ｇは、例えば、線、曲線、連続する閉鎖形状（例えば、矩形、卵形等）等の形状とすることができる。分離要素３１４Ｇは、脆弱線、穿孔、スリット等のうちの少なくとも１つを備える。いくつかの場合には、分離装置３１０Ｇの長手方向長さは、第１の縁部３４１Ｇと第２の縁部３４２Ｇとの間の長さの半分よりも長い。
【００６４】
いくつかの実施形態では、対流装置３００Ｇは、頭部加温装置３６０Ｇを含み得る。頭部加温装置３６０Ｇは、人の頸部又は頭部に近接して配設されるように構成される。頭部加温装置３６０Ｇは、２つの膨張可能なセクション３６１Ｇ及び３６２Ｇを含む。図示した例では、２つの部分（３６１Ｇ、３６２Ｇ）は、分離要素３６５Ｇを介して、対流装置３００Ｇから部分的に分離することができる。分離要素３６５Ｇは、脆弱線、スリット、穿孔線等のうちの少なくとも１つを含むことができる。いくつかの場合には、頭部加温装置３６０Ｇは、例えば、頭部又は頸部の形状に頭部加温装置を適合させることを可能にし得る、１つ以上の波状シールセクションを有することができる。いくつかの実施形態では、２つの部分３６２Ｇ及び３６１Ｇは、例えば図３Ｈに示すように対流装置３００Ｇを再配置したときに、人の頸部のそばに配設することができる。
【００６５】
いくつかの場合には、エアガイド装置３２０Ｇは、空気膜構造３４０Ｇの第２の縁部３４２Ｇに近接して配設され、膨張媒体流を方向付けるようになっている。いくつかの場合には、エアガイド装置３２０Ｇは、第１の部分３４３Ｇと第２の部分３４４Ｇとを接続する膨張可能なチャネル３４５Ｇに配設される。いくつかの実施形態では、エアガイド装置３２０Ｇは、２つのガイドシール３２１Ｇ及び３２２Ｇを備え、それぞれのガイドシール（３２１Ｇ、３２２Ｇ）は、第２の縁部３４２Ｇに近接し、それぞれ対応する側縁部（３４６Ｇ、３４９Ｇ）に接続された波状シールである。図示した実施形態では、エアガイド装置３２０Ｇは、２つのガイドシール（３２１Ｇ、３２２Ｇ）にそれぞれ対向し、分離装置３１０Ｇに近接して配設された、２つの波状ガイドシール３２３Ｇ及び３２４Ｇを更に備える。この例では、ガイドシール（３２１Ｇ、３２２Ｇ）は、周縁の周りのシール３０６Ｇと一体である。いくつかの場合には、２つの波状シール（３２１Ｇ、３２２Ｇ）のそれぞれは、空気膜構造３４０Ｇの異なる部分（第１の部分３４３Ｇ又は第２の部分３４４Ｇ）を対象としている。
【００６６】
図３Ｈは、空気膜構造３４０Ｇの第１の部分３４３Ｇ及び第２の部分３４４Ｇを、部分的に分離した後にどのように再配置することができるかについて示している。いくつかの場合には、０°〜１８０°又は１８０°よりも大きい角度で第１の部分３４３Ｇを回転させることができる。同様に、０°〜１８０°又は１８０°よりも大きい角度で第２の部分３４４Ｇを回転させることができる。第１の部分３４３Ｇと第２の部分３４４Ｇの両方を約９０°回転させると、第１の部分３４３Ｇ及び第２の部分３４４Ｇは概ね同一線に沿って再配置される。対流装置３００Ｇが２つの部分を有する頭部加温装置３６０ＧＧを含む、いくつかの実施形態では、２つの部分３６１Ｇ及び３６２Ｇは、例えば図３Ｈに示すように対流装置３００Ｇを再配置したときに、人の頸部のそばに配設することができる。そのような実施形態では、加熱空気を用いて対流装置３００Ｇを膨張させると、頭部加温装置３６０Ｇは、加熱空気を人の頭部領域に向かって供給することができる。いくつかの実施形態では、対流装置３００Ｇは、対流装置３００Ｇの設置及び／又は構成を容易にすることができる１つ以上の設置装置３３５Ｇを含み得る。１つ以上の設置装置３３５Ｇは、例えば、ボタン、スナップ、面テープ材料、テープ、及び／又はストラップ、あるいはそれらの任意の等価物を含み得る。図３Ｈに示すように、設置装置３３５Ｇは、脆弱線により対流装置３００Ｇに一体形成又は画定された結束ストリップとすることができる。
【００６７】
図３Ｉは、任意選択の分離装置と任意選択の頭部加温装置とを有する対流装置３００Ｉの一実施形態の平面図である。図３Ｊは、頭部加温装置を部分的に分離した後の図３Ｉに示した例の再構成の平面図を示しており、図３Ｋは、頭部加温装置をどのように使用することができるかについて示している。この実施形態では、対流装置３００Ｉは、可撓性の第１の層３０７Ｉ、可撓性の第２の層（図示せず）、開口部３３０Ｉ、任意選択の分離装置３１０Ｉ、及び任意選択のエアガイド装置３２０Ｉを有する。いくつかの場合には、可撓性の第１の層３０７Ｉは、空気透過性表面を有する。共通の周縁の周りのシール３０６Ｉにより第１の層に接合して空気膜構造３４０Ｉを形成する可撓性の第２の層、膨張可能なチャネルを形成するためのシール３０８Ｉ、空気膜構造３４０Ｉは、第１の縁部３４１Ｉ、第１の縁部３４１Ｉに対向する第２の縁部３４２、及び２つの側縁部（３４５Ｉ、３４６Ｉ）を有する。空気膜構造３４０Ｉは、第１の部分３４３Ｉ、第２の部分３４４Ｉ、及び第１の部分３４３Ｉと第２の部分３４４Ｉとを接続する膨張可能なチャネル３４５Ｉを有する。いくつかの場合には、対流装置３００Ｉは、人の下半身を覆うための下半身用毛布として使用することができる。
【００６８】
いくつかの実施形態では、対流装置３００Ｉは、空気膜構造３４０Ｉ内への少なくとも１つの開口部３３０Ｉを含む。開口部３３０Ｉは、空気膜構造３４０Ｉを膨張させるために膨張媒体源（図示でない）を膨張媒体に接続して膨張媒体を供給することを可能にする任意の形態、例えば、図３Ｉに示す入口ポートとすることができる。他の例として、開口部３３０Ｉは、１つ以上の、入口ポート、カフ、硬いカラーを有するポート、縁部のスリーブ開口部等を含むことができる。
【００６９】
いくつかの実施形態では、分離装置３１０Ｉは、空気膜構造３４０Ｉの第１の縁部３４１Ｉに近接して配設されている。いくつかの場合には、分離装置は、第１の縁部３４１Ｉから第２の縁部３４２Ｉに向かって延在したエンクロージャシール３１２Ｉを含み、分離要素３１４Ｉは、エンクロージャシール３１２Ｉ内にある。分離装置３１０Ｉは、空気膜構造を２つの部分（３４３Ｉ、３４４Ｉ）に部分的に分離するようになっており、したがって、２つの部分の相対位置を再配置することができる。エンクロージャシール３１２Ｉは、例えば、線、曲線、連続する閉鎖形状（例えば、矩形、卵形等）等の形状とすることができる。分離要素３１４Ｉは、脆弱線、穿孔、スリット等のうちの少なくとも１つを備える。いくつかの場合には、分離装置３１０Ｉの長手方向長さは、第１の縁部３４１Ｉと第２の縁部３４２Ｉとの間の長さの半分よりも長い。
【００７０】
いくつかの場合には、エアガイド装置３２０Ｉは、空気膜構造３４０Ｉの第２の縁部３４２Ｉに近接して配設され、膨張媒体流を方向付けるようになっている。いくつかの場合には、エアガイド装置３２０Ｉは、第１の部分３４３Ｉと第２の部分３４４Ｉとを接続する膨張可能なチャネル３４５Ｉに配設される。いくつかの実施形態では、エアガイド装置３２０Ｉは、２つのガイドシール３２１Ｉ及び３２２Ｉを備え、それぞれのガイドシール（３２１Ｉ、３２２Ｉ）は、第２の縁部３４２Ｉに近接し、それぞれ対応する側縁部（３４６Ｉ、３４９Ｉ）に接続された波状ガイドシールである。図示した実施形態では、エアガイド装置３２０Ｉは、２つのガイドシール（３２１Ｉ、３２２Ｉ）にそれぞれ対向し、分離装置３１０Ｉに近接して配設された、２つの波状ガイドシール３２３Ｉ及び３２４Ｉを更に備える。この例では、ガイドシール（３２１Ｉ、３２２Ｉ）は、周縁の周りのシール３０６Ｉと一体である。いくつかの場合には、２つの波状シール（３２１Ｉ、３２２Ｉ）のそれぞれは、空気膜構造３４０Ｉの異なる部分（第１の部分３４３Ｉ又は第２の部分３４４Ｉ）を対象としている。
【００７１】
図３Ｊは、空気膜構造３４０Ｉの第１の部分３４３Ｉ及び第２の部分３４４Ｉを、部分的に分離した後にどのように再配置することができるかについて示している。いくつかの場合には、０°〜１８０°又は１８０°よりも大きい角度で第１の部分３４３Ｉを回転させることができる。同様に、０°〜１８０°又は１８０°よりも大きい角度で第２の部分３４４Ｉを回転させることができる。第１の部分３４３Ｉと第２の部分３４４Ｉの両方を約９０°回転させると、第１の部分３４３Ｉと第２の部分３４４Ｉとは概ね同一線に配置される。
【００７２】
いくつかの実施形態では、対流装置３００Ｉは、概ねＵ形状の頭部加温装置３６０Ｉを含む。図示した例では、頭部加温装置３６０Ｉは、分離要素３６５Ｉを介して、対流装置３００Ｉから部分的に分離することができる。分離要素３６５Ｉは、脆弱線、スリット、穿孔線等のうちの少なくとも１つを含むことができる。いくつかの実施形態では、頭部加温装置３６０Ｉは、例えば図３Ｋに示すように対流装置３００Ｉを再配置したときに、人の頸部及び頭部のそばに配設することができる。いくつかの場合には、頭部加温装置３６０Ｉは、例えば、頭部又は頸部の形状に頭部加温装置を適合させることを可能にし得る、１つ以上の波状シールセクションを有することができる。いくつかの場合には、頭部加温装置３６０Ｉは、分離要素３６５Ｉにより対流装置から完全に分離することができる一部分を含み得る。
【００７３】
図３Ｌは、任意選択のエアガイド要素を有する対流装置３００Ｌの一実施形態の平面図である。この実施形態では、対流装置３００Ｌは、可撓性の第１の層３０７Ｌ、可撓性の第２の層（図示せず）、開口部３３０Ｌ、及び任意選択のエアガイド装置３２０Ｌを有する。いくつかの場合には、可撓性の第１の層３０７Ｌは、空気透過性表面を有する。共通の周縁の周りのシール３０６Ｌにより第１の層に接合して空気膜構造３４０Ｌを形成する可撓性の第２の層、膨張可能なチャネルを形成するためのシール３０８Ｌ、空気膜構造３４０Ｌは、第１の縁部３４１Ｌ、及び第１の縁部３４１Ｌに対向する第２の縁部３４２Ｌを有する。空気膜構造３４０Ｌは、第１の部分３４３Ｌ、第２の部分３４４Ｌ、及び第１の部分３４３Ｌと第２の部分３４４Ｌとを接続する膨張可能なチャネル３４５Ｌを有する。いくつかの場合には、対流装置３００Ｌは、人の上半身を覆うのに適した膨張可能な上半身用毛布として使用することができる。
【００７４】
いくつかの実施形態では、対流装置３００Ｌは、空気膜構造３４０Ｌ内への少なくとも１つの開口部３３０Ｌを含む。開口部３３０Ｌは、空気膜構造３４０Ｌを膨張させるために膨張媒体源（図示せず）を膨張媒体に接続して膨張媒体を供給することを可能にする任意の形態、例えば、図３Ｌに示すポートの周りに硬質カラーを有する入口ポートとすることができる。他の例として、開口部３３０Ｌは、１つ以上の、入口ポート、カフ、硬質カラーを有するポート、縁部のスリーブ開口部等を含むことができる。
【００７５】
いくつかの実施形態では、エアガイド装置３２０Ｌは、エアガイド要素のセット３２１Ｌ及び３２２Ｌのセットの２つを備え、エアガイド要素のそれぞれのセットは、それぞれ対応した縁部（３４１Ｌ、３４２Ｌ）に近接して配設される。いくつかの場合には、エアガイド装置３２０Ｌは、一定のパターンで配設されたエアガイド要素の１つ以上のセットを含む。いくつかの場合には、エアガイド要素のセットを等間隔で配設することができる。いくつかの場合には、エアガイド要素のセットは、周縁シール３０６Ｌから１インチ（２．５４ｃｍ）以下に配設される。いくつかの場合には、エアガイド要素のセットは、周縁シール３０６Ｌから２インチ（５．０８ｃｍ）以下に配設される。いくつかの場合には、エアガイド装置３２０Ｌは、互い違いのパターンで配設されたエアガイド要素のセット３２１Ｌ、３２２Ｌ及び３２３Ｌの３つを含む。
【００７６】
空気膜構造３４０Ｌの第１の部分３４３Ｌ及び第２の部分３４４Ｌを再配置することができる。いくつかの場合には、０°〜１８０°角度で第１の部分３４３Ｌを回転させることができる。同様に、０°〜１８０°の角度で第２の部分３４４Ｌを回転させることができる。第１の部分３４３Ｌと第２の部分３４４Ｌの両方を約９０°回転させると、第１の部分３４３Ｌと第２の部分３４４Ｌとは概ね同一線に配置される。第１の部分３４１Ｌ及び／又は第２の部分３４２Ｌを再配置すると、エアガイド装置３２０Ｌは、捻りの影響及び圧力降下を低減するために対流装置３００Ｌを膨張させたときに対流装置３００Ｌを屈曲させる１つ以上のクリーズの形成を促進することができる。
【００７７】
いくつかの実施形態では、対流装置３００Ｌは、対流装置３００Ｌの設置及び／又は構成を容易にすることができる１つ以上の設置装置（３３５Ｌ、３５０Ｌ）を含み得る。１つ以上の設置装置は、例えば、粘着性のパッチ若しくはストリップ、ボタン、スナップ、面テープ材料、テープ、及び／又はストラップ、あるいはそれらの任意の等価物を含み得る。図３Ｌに示すように、設置装置３３５Ｌは、脆弱線により対流装置３００Ｌに一体形成又は画定された結束ストリップとすることができる。別の例として、設置装置３４０Ｌは、対流装置３００Ｌの縁部（例えば、縁部３４２Ｌ）に沿って配設された粘着性ストリップとすることができる。
【００７８】
図４Ａ〜図４Ｈは、エアガイド装置／エアガイド要素のいくつかの例を示している。図４Ａは、２つのガイドシール４０２Ａ及び４０４Ａを含むエアガイド装置又はエアガイド要素４００Ａを示しており、両シールは、周縁シール４１０Ａから延在している。図４Ｂは、周縁シール４１０Ｂから延在した１つのガイドシール４０２Ｂを含むエアガイド装置又はエアガイド要素４００Ｂを示す。図４Ｃは、周縁シール４１０Ｃ上の第１の位置４１１Ｃから始まり、第１の位置４１１Ｃとは異なる周縁シール４１０Ｃ上の第２の位置４１２Ｃで終わる、曲線形状の連続したシール４０２Ｃを含む、エアガイド装置又はエアガイド要素４００Ｃを示している。対流装置を膨張させると、エアガイド装置４００Ｃは、対流装置のエアガイド装置４００Ｃに近接した複数のクリーズの形成を促進することができ、そこで対流装置を屈曲させる。図４Ｄは、周縁シール４１０Ｄ上の第１の位置４１１Ｄから始まり、第１の位置４１１Ｄとは異なる周縁シール４１０Ｄ上の第２の位置４１２Ｄで終わる、連続したシール４０２Ｄを含む、エアガイド装置又はエアガイド要素４００Ｄを示している。
【００７９】
図４Ｅは、周縁シール４１０Ｅから延在した３つのガイドシール４０２Ｅを含むエアガイド装置又はエアガイド要素４００Ｅを示す。図４Ｆは、周縁シール４１０Ｆに近接するが、周縁シール４１０Ｆに接触しない１つのガイドシール４０２Ｆを含むエアガイド装置又はエアガイド要素４００Ｆを示す。図４Ｇは、周縁シール４１０Ｇに近接するが、周縁シール４１０Ｇに接触しない、閉鎖形状の１つの連続したシール４０２Ｇ又は閉鎖形状のシール４０２Ｇを含むエアガイド装置又はエアガイド要素４００Ｇを示す。いくつかの場合には、シール４０２Ｇは、例えば、円、卵形、正方形、矩形、多角形等のような、任意の閉鎖形状とすることができる。いくつかの場合には、シール４０２Ｇは、周縁シール４１０Ｇから１インチ（２．５４ｃｍ）以下である。いくつかの場合には、シール４０２Ｇは、周縁シール４１０Ｇから２インチ（５．０８ｃｍ）以下である。
【００８０】
図４Ｈは、周縁シール４１０Ｈの一体部分である、又は周縁シール４１０Ｈに近接した、エアガイド装置４００Ｈの例を示す。エアガイド装置４００Ｈは、例えば図１Ａ、図２Ａ及び図３Ａに示したように、空気膜構造の第１の部分と第２の部分との間にジグザグ部分４０２Ｈを含み、したがって、ジグザグ部分４０２Ｈは、複数の分散したクリーズの生成を促進し、かつ、構成可能な対流装置を膨張させ、対流装置の一部が屈曲するように第１の部分及び第２の部分のうちの少なくとも１つを再配置したときに、屈曲領域における膨張媒体の圧力降下を低減するように膨張媒体を方向付けるようになっている。いくつかの場合には、ジグザグ部分４０２Ｈは、周縁シール４１０Ｈと一体である。いくつかの場合には、周縁シール全体をジグザグにすることができる。いくつかの場合には、ジグザグ部分４０２Ｈは、波状形状である。いくつかの場合には、ジグザグ部分は、曲線形状、方形鋸歯、三角鋸歯、又は同様の形状、あるいは形状の組み合わせである。
【００８１】
対流装置を使用するいくつかの場合には、ホースクランプを使用して、ホースと対流装置との間の気密接続を適切に維持することができる。図５Ａは、ホースクランプ５００の一実施形態の斜視図を示しており、図５Ｂは、ホースクランプ５００の側面図を示している。図示した実施形態では、ホースクランプ５００は、包囲要素５１０、包囲要素から延在した任意選択の把持構成要素５２０、及び包囲要素上に配設された又は包囲要素と一体の任意選択の係合構成要素５３０を含む。包囲要素５１０は、内側表面５１２及び対向する外側表面５１４を有して含む。いくつかの場合には、包囲要素５１０の中心角５５０は、１８０°よりも大きい。いくつかの場合には、包囲要素５１０の中心角５５０は、３６０°よりも小さい。
【００８２】
いくつかの実施形態では、係合構成要素５３０は、複数の係合要素５３５を含む。いくつかの実装形態では、係合構成要素５３０は、一定のパターンの係合要素５３５、例えば、線のパターン、波のパターン、端部に近接して密度が高いパターン等を含む。包囲要素５１０は、第１の端部５４１、第２の端部５４２、及び中間部分５４５を有する。いくつかの場合には、包囲要素５１０は、半硬質又は硬質とすることができる。包囲要素５１０は、例えば、ポリカーボネート、ポリエチレン、ナイロン、アクリロニトリルブタジエンスチレン（ＡＢＳ）、ポリプロピレン、ポリ塩化ビニル（ＰＶＣ）等の材料を含むことができる。いくつかの場合には、把持構成要素５２０及び係合構成要素５３０は、包囲要素５１０と同じ材料を含むことができる。他のいくつかの場合では、把持構成要素５２０及び係合構成要素５３０は、包囲要素５１０とは異なる材料を含むことができる。いくつかの場合には、係合構成要素は、包囲要素５１０に使用された材料と同じ又はそれは異なる材料を有することができる。いくつかの場合には、係合構成要素５３０は、軟質材料、例えば、ウレタン、熱可塑性材料、熱可塑性エラストマー（ＴＰＥ）等、を使用することができる。係合要素５３５は、任意の形状、例えば、円筒形、半球体、角柱、六角柱、台形プリズム、立方体、キューボイド、円錐、角錐形等、を有することができる。
【００８３】
図５Ｃは、ホースクランプの別の実施形態５００Ｃの正面図である。ホースクランプ５００Ｃは、包囲要素５１０、包囲要素から延在した任意選択の把持構成要素５２０Ｃ、及び包囲要素上に配設された又は包囲要素と一体の任意選択の係合構成要素５３０を含む。同じラベルの構成要素は、図５Ａ及び図５Ｂの対応する構成要素と同じ又は類似の形状、組成、機能及び／又は関係を有することができる。図示した実施形態では、把持構成要素５２０Ｃは、２つの要素５２１及び５２２を含む。
【００８４】
図６Ａは、包囲要素の内側表面に向いたホースクランプ６００の平坦図である。図６Ｂは、ホースクランプ６００の斜視図であり、図６Ｃは、ホースクランプ６００の側面図である。ホースクランプ６００は、包囲要素６１０、任意選択の把持構成要素６３０、及び任意選択の係合構成要素６２０Ａを含む。包囲要素６１０は、第１の端部６１２、第２の端部６１４、及び中間部分６１６を有する。係合構成要素６２０Ａは、係合要素６２５の１つ以上のセットを含むことができる。一実施形態では、係合構成要素６２０Ａは、包囲要素６１０の第１の端部６１２に近接して配設された係合要素のセット６２２を含む。６Ａに示した例では、係合要素のセット６２２は、一列に配設された複数の係合要素６２５（３つ示されている）のセットを含み、係合要素６２５は、第１の端部６１２から傾斜して一列に配設されている。いくつかの実施形態では、係合構成要素６２０Ａは、包囲要素６１０の第２の端部６１４に近接して配設された係合要素のセット６２４を含む。図６Ａに示した例では、係合要素のセット６２４は、一列に配設された複数の係合要素６２５のセットを含み、係合要素６２５は、第２の端部６１４から傾斜して一列に配設されている。いくつかの実施形態では、係合構成要素６２０Ａは、中間部分６１６に配設された係合要素のセット６２６を含む。いくつかの場合には、係合要素のセット６２６は、一列に配設された少なくとも３つの係合要素６２５を含む。
【００８５】
図６Ｄ〜図６Ｇは、係合構成要素のいくつかの例示的な構成を示している。図６Ｄは、係合構成要素６２０Ｄが、互いに対して概ね平行であり、かつ、第１の端部６１２に近接して第２の端部６１４まで延在した３つの細長い係合要素６２２Ｄ、６２４Ｄ及び６２６Ｄを含むことを示している。図６Ｅは、係合構成要素６２０Ｅが、係合要素の３つのセット（６２２Ｅ、６２４Ｅ及び６２６Ｅ）を含むことを示している。係合要素のセット６２２Ｅは、第１の端部６１２に近接しており、一列に並んでいる。係合要素６２４Ｅのセットは、第２の端部６１４に近接しており、一列に並んでいる。係合要素のセット６２６Ｅは、中央部分６１６に近接しており、両端に対して概ね平行である。
【００８６】
図６Ｆは、３つの係合要素（６２２Ｆ、６２４Ｆ及び６２６Ｆ）を含む係合構成要素６２０Ｆを示している。係合要素６２２Ｆは、第１の端部６１２に近接して配設されており、係合要素６２４Ｆは、第２の端部６１４に近接して配設されており、係合要素６２６Ｆは、中央部分６１６に配設されている。３つの係合要素６２２Ｆ、６２４Ｆ及び６２６Ｆは、図示のように、包囲要素６１０の縁部までの距離が異なる位置に配設され得る。図６Ｇは、複数の係合要素６２５を含む係合構成要素６２０Ｇを示している。一実施形態では、第１の端部６１２から第２の端部６１４まで包囲要素６１０の両端間に、係合要素６２５を断続的に配設することができる。
【００８７】
図７は、ホースの接続を維持するために対流装置及びホースクランプを使用して温度を制御するためのシステム７００の一実施形態を示す図である。システム７００は、膨張媒体源（図示せず）に接続するように構成されたホース７１０、ホースクランプ７２０、及び対流装置７３０を含む。ホースクランプ７２０は、包囲要素７２２、及び包囲要素７２２から延在した任意選択の把持構成要素７２４を含む。いくつかの実施形態では、対流装置７３０は、可撓性の第１の層７３１、共通の周縁の周りのシール７３４により第１の層７３１を接合して空気膜構造７４０を形成する可撓性の第２の層７３２、及び空気膜構造７４０内への開口部７３５を含む。第１の層７３１及び／又は第２の層７３２は、空気透過性表面を有する。ホースクランプ７２０は、ホース７１０の端部を開口部７３５に挿入したときに、対流装置７３０とホース７１０との概ね気密接続を維持するように構成される。
【００８８】
ホースクランプ７２０は、本開示で説明するホースクランプの実施形態のうちいずれか１つを使用することができる。いくつかの場合には、包囲要素７２２は、内側表面及び対向する外側表面を有し、内側表面の摩擦係数は、外側表面よりも高い。いくつかの場合には、ホース７１０の外側表面の摩擦係数は比較的高い。
【００８９】
いくつかの実施形態では、対流装置７３０は、開口部７３５の片側又は両側に沿って１つ又は２つのスリット７３７を含み、ホースクランプ７２０の片側又は両側は、ホースクランプ７２０の使用時にスリット７３７を通過するように構成される。いくつかの場合には、スリット７３７をシール（図示せず）により取り囲む。いくつかの構成では、スリット７３７は、対流装置７３０の縁部にある。いくつかの他の構成では、スリット７３７は、対流装置７３０の縁部にはない。そのような構成では、スリット７３７を取り囲んでいるシールは、密閉型シールである。スリット７３７は、例えば、細長い開口部、脆弱線、穿孔等を含むことができる。
【００９０】
いくつかの場合には、本明細書に記載された任意の対流装置の実施形態を有する１つ以上の対流装置は、ガウンに取り付けることができ、かつ、ガウンから取り外すことができる。図８は、ガウン８００の一実施形態を示しており、対流装置８１０は、本明細書に記載された任意の対流装置の実施形態を使用する。いくつかの場合には、対流装置８１０は、折り畳んで、ガウン８００の密閉されたポーチ又はポケットの中に入れることができる。そのような場合、対流装置８１０を使用するときに、ポーチ又はポケットから対流装置８１０を取り出すことができる。いくつかの場合には、取付装置を使用して、対流装置８１０をガウン８００に取り外し可能に取り付けることができる。取付装置は、任意の解放可能な取付手段、例えば、両面接着剤、穿孔された引き裂きタブ、面テープ、スナップ、リベット、再配置可能な接着剤、機械的な再閉鎖可能な留め具等、を使用することができる。いくつかの構成では、対流装置８１０は、ガウン８００から分離して折り畳むことができる。例えば、対流装置８１０は、ガウン８００のポケットに保管することができる。別の例として、対流装置８１０とガウン８００とを一緒にキットで配設することができる。図示した実施形態では、ガウンは、追加の対流装置８０５を含む。対流装置８１０は、２つの部分（８４３、８４４）と、その２つの部分を接続する膨張可能なチャネル８４５とを含む。
【００９１】
いくつかの実施形態では、対流装置８１０は、２つの部分（８４３、８４４）を有する。対流装置８１０は、分離装置８１２により対流装置８０６から分離される。分離装置８１２は、シール８１４及び分離要素８１６を含む。いくつかの場合には、対流装置８１０は、膨張可能なチャネル８４５に配設されたエアガイド装置８２０を含む。対流装置８１０は、膨張媒体源に接続するための開口部８１７を含む。対流装置８０５は、膨張媒体源に接続するための開口部８０７を含む。分離装置８１２及びエアガイド装置８２０は、本明細書で開示した任意の実施形態を使用することができる。いくつかの場合には、対流装置８１０をガウンから取り外して、２つの部分８４３及び８４４が異なる相対位置に配置される（例えば、同一の線にほぼ沿って延在している）ように、対流装置８１０を再配置することができる。そのような場合、エアガイド装置８２０は、屈曲領域における膨張媒体の圧力降下を低減するために、構成可能な対流装置８００を膨張させたときに、エアガイド装置の縁部におけるクリーズの形成を促進するように構成される。
【００９２】
図９は、構成可能な対流装置の使用の例示的な流れ図を示している。構成可能な対流装置は、本明細書で説明した構成のうちいずれか１つを使用することができる。最初に、構成可能な対流装置を膨張させる（ステップ９１０）。任意選択のステップとして、構成可能な対流装置が分離装置を含む場合、当該分離した装置を使用して、対流装置を２つの部分へと部分的に分離する。例えば、第１の部分を一定の角度まで屈曲させることによって、対流装置の第１の部分を第１の望ましい位置に設置する（ステップ９２０）。任意選択的に、例えば、第１の部分を一定の角度まで屈曲させることによって、対流の第２の部分を第２の望ましい位置に設置する（ステップ９３０）。例えば、結束ストリップ又は粘着性ストリップのような対流装置の設置装置を使用して、対流装置を付着させるシートを使用して、あるいは、ユーザの身体の一部の下に対流装置の一部分を押し込むことによって、ユーザに対流装置を固定する（ステップ９４０）。
例示的な実施形態
【００９３】
項Ａ１．構成可能な対流装置であって、
空気透過性表面を有する可撓性の第１の層と；
共通の周縁の周りのシールにより第１の層に接合して空気膜構造を形成する可撓性の第２の層であって、空気膜構造は、第１の縁部及び対向する第２の縁部を有する、可撓性の第２の層と；
空気膜構造内への少なくとも１つの開口部と；
第１の縁部に近接して配設され、空気膜構造の一部を第１の部分と第２の部分とに分離するようになっている分離装置であって、
第１の縁部から第２の縁部に向かって延在したエンクロージャシール；及びエンクロージャシール内の分離要素を備える、分離装置と；第２の縁部に近接して、第１の部分と第２の部分との間に配設されたエアガイド装置であって、当該エアガイド装置は、第１の部分及び第２の部分のうちの少なくとも１つを屈曲させたときに、屈曲領域において膨張媒体流を方向付けるように構成される、エアガイド装置とを備える、対流装置。
【００９４】
項Ａ２．エンクロージャシールの少なくとも一部分は、第１の縁部に対して概ね垂直である、項Ａ１に記載の構成可能な対流装置。
【００９５】
項Ａ３．分離要素は、脆弱線、穿孔、及びスリットのうちの少なくとも１つを備える、項Ａ１又は項Ａ２に記載の構成可能な対流装置。
【００９６】
項Ａ４．分離装置は、第２のエンクロージャシール、及び第２のエンクロージャシール内の第２の分離要素を更に備える、項Ａ１〜Ａ３のいずれか一項に記載の構成可能な対流装置。
【００９７】
項Ａ５．エアガイド装置は、第２の縁部から空気膜構造に向かって延在したガイドシールを備える、項Ａ１〜Ａ４のいずれか一項に記載の構成可能な対流装置。
【００９８】
項Ａ６．第１の部分は、第１の方向に沿った第１の長手方向軸線を有し、第１の部分は、第１の長手方向軸線が第１の方向とは異なる第２の方向に沿うように配置されるようになっている、項Ａ１〜Ａ５のいずれか一項に記載の構成可能な対流装置。
【００９９】
項Ａ７．第２の方向は、第１の方向に対して概ね垂直である、項Ａ６に記載の構成可能な対流装置。
【０１００】
項Ａ８．第２の部分は、第３の方向に沿った第２の長手方向軸線を有し、第２の部分は、第２の長手方向軸線が第３の方向とは異なる第４の方向に沿うように配置されるようになっている、項Ａ６に記載の構成可能な対流装置。
【０１０１】
項Ａ９．第４の方向は、第３の方向に対して概ね垂直である、項Ａ８に記載の構成可能な対流装置。
【０１０２】
項Ａ１０．エアガイド装置は、２つのガイドシールを備え、それぞれのガイドシールは、第２の縁部から空気膜構造に向かって延在する、項Ａ１〜Ａ９のいずれか一項に記載の構成可能な対流装置。
【０１０３】
項Ａ１１．２つのガイドシールは、互いに対して概ね垂直である、項Ａ１０に記載の構成可能な対流装置。
【０１０４】
項Ａ１２．エアガイド装置は、第２の縁部の第１の位置から始まり、第２の縁部の第２の位置で終わる連続したシールを備え、第１の位置と第２の位置とは異なる、項Ａ１〜Ａ１１のいずれか一項に記載の構成可能な対流装置。
【０１０５】
項Ａ１３．空気膜構造は、第１の縁部と第２の縁部との間に平均長さを有し、分離装置の長さは、空気膜構造の平均長さの１／２以上である、項Ａ１〜Ａ１２のいずれか一項に記載の構成可能な対流装置。
【０１０６】
項Ａ１４．空気膜構造は幅を有し、第２の縁部は、第１の端部及び第２の端部を有し、エアガイド装置は、第２の縁部の第１の端部から幅の２／５の距離に始点があり、第２の縁部の第２の端部から幅の２／５の距離に終点がある領域にある、空気膜構造の中央部分に配設される、項Ａ１〜Ａ１２のいずれか一項に記載の構成可能な対流装置。
【０１０７】
項Ａ１５．エアガイド装置は、共通の周縁の周りのシールと一体の波状シールを備える、項Ａ１〜Ａ１４のいずれか一項に記載の構成可能な対流装置。
【０１０８】
項Ａ１６．エアガイド装置は、共通の周縁の周りのシールに近接して配設された複数のかしめ型シールを備える、項Ａ１〜Ａ１５のいずれか一項に記載の構成可能な対流装置。
【０１０９】
項Ａ１７．人の頸部に近接して配設されるように構成された頭部加温装置を更に備え、当該頭部加温装置は、構成可能な対流装置から部分的に分離した１つ以上の膨張可能なセクションを備える、項Ａ１〜Ａ１６のいずれか一項に記載の構成可能な対流装置。
【０１１０】
項Ａ１８．頭部加温装置は、２つの隣接する膨張可能なセクションを備える、項Ａ１７に記載の構成可能な対流装置。
【０１１１】
項Ａ１９．頭部加温装置は、Ｕ形状の膨張可能なセクションを備える、項Ａ１７に記載の構成可能な対流装置。
【０１１２】
項Ａ２０．膨張可能な上半身用毛布であって、
空気透過性表面を有する可撓性の第１の層と；
共通の周縁の周りのシールにより第１の層に接合して空気膜構造を形成する可撓性の第２の層であって、空気膜構造は、第１の縁部及び対向する第２の縁部を有する、可撓性の第２の層と；
空気膜構造内への少なくとも１つの開口部と；
第１の縁部に近接して配設され、空気膜構造の一部を第１の部分と第２の部分とに分離するようになっている分離装置であって、
第１の縁部から第２の縁部に向かって延在したエンクロージャシール；
エンクロージャシール内の分離要素を備える、分離装置と；第２の縁部に近接して配設され、第１の部分及び第２の部分のうちの少なくとも１つを屈曲させたときに、屈曲領域において膨張媒体流を方向付けるように構成される、エアガイド装置を備える、分離装置と；を備え、
空気膜構造の第１の部分は、第１の長手方向軸線を有し、空気膜構造の第２の部分は、第２の長手方向軸線を有し、第１の長手方向軸線と第２の長手方向軸線とは概ね同一線に沿って延在する、膨張可能な上半身用毛布。
【０１１３】
項Ａ２１．エンクロージャシールの少なくとも一部分は、第１の縁部に対して概ね垂直である、項Ａ２０に記載の膨張可能な上半身用毛布。
【０１１４】
項Ａ２２．分離要素は、脆弱線、穿孔、及びスリットのうちの少なくとも１つを備える、項Ａ２０又は項Ａ２１に記載の膨張可能な上半身用毛布。
【０１１５】
項Ａ２３．分離装置は、第２のエンクロージャシール、及び第２のエンクロージャシール内の第２の分離要素を更に備える、項Ａ２０〜Ａ２２のいずれか一項に記載の膨張可能な上半身用毛布。
【０１１６】
項Ａ２４．エアガイド装置は、第２の縁部から空気膜構造に向かって延在したガイドシールを備える、項Ａ２０〜Ａ２３のいずれか一項に記載の膨張可能な上半身用毛布。
【０１１７】
項Ａ２５．第１の長手方向軸線は、第１の方向に沿っており、第１の部分は、第１の長手方向軸線が第１の方向とは異なる第２の方向に沿うように配置されるようになっている、項Ａ２０〜Ａ２４のいずれか一項に記載の膨張可能な上半身用毛布。
【０１１８】
項Ａ２６．第２の方向は、第１の方向に対して概ね垂直である、項Ａ２５に記載の膨張可能な上半身用毛布。
【０１１９】
項Ａ２７．第２の長手方向軸線は、第３の方向に沿っており、第２の部分は、第２の長手方向軸線が第３の方向とは異なる第４の方向に沿うように配置されるようになっている、項Ａ２５に記載の膨張可能な上半身用毛布。
【０１２０】
項Ａ２８．第４の方向は、第３の方向に対して概ね垂直である、項Ａ２７に記載の膨張可能な上半身用毛布。
【０１２１】
項Ａ２９．エアガイド装置は、２つのガイドシールを備え、それぞれのガイドシールは、第２の縁部から空気膜構造に向かって延在する、項Ａ２０〜Ａ２８のいずれか一項に記載の膨張可能な上半身用毛布。
【０１２２】
項Ａ３０．２つのガイドシールは、互いに対して概ね垂直である、項Ａ２９に記載の膨張可能な上半身用毛布。
【０１２３】
項Ａ３１．エアガイド装置は、第２の縁部の第１の位置から始まり、第２の縁部の第２の位置で終わる連続したシールを備え、第１の位置と第２の位置とは異なる、項Ａ２０〜Ａ３０のいずれか一項に記載の膨張可能な上半身用毛布。
【０１２４】
項Ａ３２．空気膜構造は、第１の縁部と第２の縁部との間に平均長さを有し、分離装置の長さは、空気膜構造の平均長さの１／２以上である、項Ａ２０〜Ａ３１のいずれか一項に記載の膨張可能な上半身用毛布。
【０１２５】
項Ａ３３．膨張可能な上半身用毛布であって、
空気透過性表面を有する可撓性の第１の層と；
共通の周縁の周りの周縁シールにより第１の層に接合して空気膜構造を形成する可撓性の第２の層であって、当該空気膜構造は、第１の縁部及び対向する第２の縁部を有し、当該空気膜構造は、第１の部分、第２の部分、及び第１の部分と第２の部分とを接続する膨張可能なチャネルを備える、可撓性の第２の層と；
空気膜構造内への少なくとも１つの開口部と；第１の部分と第２の部分との間に配設されたエアガイド装置であって、当該エアガイド装置は、第１の部分及び第２の部分のうちの少なくとも１つを屈曲させたときに、屈曲領域において膨張媒体流を方向付けるように構成される、エアガイド装置とを備える、膨張可能な上半身用毛布。
【０１２６】
項Ａ３４．エアガイド装置は、第１の縁部に近い周縁シールに近接して配設されたエアガイドシールの第１のセットを備える、項Ａ３３に記載の膨張可能な上半身用毛布。
【０１２７】
項Ａ３５．エアガイド装置は、第２の縁部に近い周縁シールに近接して配設されたエアガイドシールの第２のセットを備える、項Ａ３３又はＡ３４に記載の膨張可能な上半身用毛布。
【０１２８】
項Ｂ１．構成可能な対流装置であって、
空気透過性表面を有する可撓性の第１の層と；
共通の周縁の周りのシールにより第１の層に接合して空気膜構造を形成する可撓性の第２の層であって、当該空気膜構造は、第１の縁部及び対向する第２の縁部を有し、当該空気膜構造は、第１の部分、第２の部分、及び第１の部分と第２の部分とを接続する膨張可能なチャネルを備える、可撓性の第２の層と；
空気膜構造内への少なくとも１つの開口部と；
第１の縁部上の第１の部分と第２の部分との間に配設された分離装置であって、
第１の縁部から第２の縁部に向かって延在したエンクロージャシール、
エンクロージャシール内の分離要素、及び第１の部分と第２の部分との間に配設されたエアガイド装置であって、当該エアガイド装置は、第１の部分及び第２の部分のうちの少なくとも１つを屈曲させたときに、屈曲領域において膨張媒体流を方向付けるように構成される、エアガイド装置とを備える、膨張可能な上半身用毛布。
【０１２９】
項Ｂ２．エアガイド装置は、第２の縁部に近接して配設される、項Ｂ１に記載の構成可能な対流装置。
【０１３０】
項Ｂ３．エアガイド装置は、構成可能な対流装置を膨張させたときにエアガイド装置の縁部におけるクリーズの形成を促進するように構成され、第１の部分及び第２の部分のうちの少なくとも１つは、当該対流装置の一部を屈曲させるように再配置される、項Ｂ１又はＢ２に記載の構成可能な対流装置。
【０１３１】
項Ｂ４．空気膜構造は幅を有し、第２の縁部は、第１の端部及び第２の端部を有し、エアガイド装置は、第２の縁部の第１の端部から幅の２／５の距離に始点があり、第２の縁部の第２の端部から幅の２／５の距離に終点がある領域にある、空気膜構造の中央部分に配設される、項Ｂ１〜項Ｂ３のいずれか一項に記載の構成可能な対流装置。
【０１３２】
項Ｂ５．エアガイド装置は、第２の縁部に近く、かつ第１の縁部から離れている、膨張可能なチャネルの半分部分に配設される、項Ｂ１〜Ｂ４のいずれか一項に記載の構成可能な対流装置。
【０１３３】
項Ｂ６．エンクロージャシールの少なくとも一部分は、第１の縁部に対して概ね垂直である、項Ｂ１〜Ｂ５のいずれか一項に記載の構成可能な対流装置。
【０１３４】
項Ｂ７．分離要素は、脆弱線、穿孔、及びスリットのうちの少なくとも１つを備える、項Ｂ１〜Ｂ６に記載の構成可能な対流装置。
【０１３５】
項Ｂ８．分離装置は、第２のエンクロージャシール、及び第２のエンクロージャシール内の第２の分離要素を更に備える、項Ｂ１〜Ｂ７のいずれか一項に記載の構成可能な対流装置。
【０１３６】
項Ｂ９．エアガイド装置は、第２の縁部から空気膜構造に向かって延在したガイドシールを備える、項Ｂ１〜Ｂ８のいずれか一項に記載の構成可能な対流装置。
【０１３７】
項Ｂ１０．第１の部分は、第１の方向に沿った第１の長手方向軸線を有し、第１の部分は、第１の長手方向軸線が第１の方向とは異なる第２の方向に沿うように配置されるようになっている、項Ｂ１〜Ｂ９のいずれか一項に記載の構成可能な対流装置。
【０１３８】
項Ｂ１１．第２の方向は、第１の方向に対して概ね垂直である、項Ｂ１０に記載の構成可能な対流装置。
【０１３９】
項Ｂ１２．第２の部分は、第３の方向に沿った第２の長手方向軸線を有し、第２の部分は、第２の長手方向軸線が第３の方向とは異なる第４の方向に沿うように配置されるようになっている、項Ｂ１０に記載の構成可能な対流装置。
【０１４０】
項Ｂ１３．第４の方向は、第３の方向に対して概ね垂直である、項Ｂ１２に記載の構成可能な対流装置。
【０１４１】
項Ｂ１４．エアガイド装置は、２つのガイドシールを備え、それぞれのガイドシールは、第２の縁部から空気膜構造に向かって延在する、項Ｂ１〜Ｂ１３のいずれか一項に記載の構成可能な対流装置。
【０１４２】
項Ｂ１５．２つのガイドシールは、互いに対して概ね垂直である、項Ｂ１４に記載の構成可能な対流装置。
【０１４３】
項Ｂ１６．エアガイド装置は、第２の縁部の第１の位置から始まり、第２の縁部の第２の位置で終わる連続したシールを備え、第１の位置と第２の位置とは異なる、項Ｂ１〜Ｂ１５のいずれか一項に記載の構成可能な対流装置。
【０１４４】
項Ｂ１７．空気膜構造は、第１の縁部と第２の縁部との間に平均長さを有し、分離装置の長さは、空気膜構造の平均長さの１／２以上である、項Ｂ１〜Ｂ１６のいずれか一項に記載の構成可能な対流装置。
【０１４５】
項Ｂ１８．構成可能な対流装置であって、
空気透過性表面を有する可撓性の第１の層と；
共通の周縁の周りのシールにより第１の層に接合して空気膜構造を形成する可撓性の第２の層であって、当該空気膜構造は、第１の縁部及び対向する第２の縁部を有し、当該空気膜構造は、第１の部分、第２の部分、及び第１の部分と第２の部分とを接続する膨張可能なチャネルを備える、可撓性の第２の層と；
空気膜構造内への少なくとも１つの開口部と；
第１の縁部上の第１の部分と第２の部分との間に配設された分離装置であって、
第１の縁部から第２の縁部に向かって延在したエンクロージャシール、
エンクロージャシール内の分離要素を備える、分離装置と、を備え、第２の縁部は、空気膜構造の第１の部分と第２の部分との間に正弦部分を備え、当該正弦波部分は、構成可能な対流装置が膨張し、第１の部分及び第２の部分のうちの少なくとも１つを屈曲させたときに、膨張媒体を方向付けるようになっている、構成可能な対流装置。
【０１４６】
項Ｂ１９．第２の縁部の少なくとも一部分は、正弦状である、項Ｂ１８に記載の構成可能な対流装置。
【０１４７】
項Ｂ２０．正弦部分は、波状形状である、項Ｂ１８又はＢ１９に記載の構成可能な対流装置。
【０１４８】
項Ｂ２１．正弦部分は、曲線形状である、項Ｂ１８〜Ｂ２０のいずれか一項に記載の構成可能な対流装置。
【０１４９】
項Ｃ１．ホースクランプであって、
内側表面及び対向する外側表面を有する包囲要素と、包囲要素から延在した把持構成要素と、
複数の係合要素を備える、包囲要素上に配設された又は包囲要素と一体の係合構成要素と、を備える、ホースクランプ。
【０１５０】
項Ｃ２．包囲要素は、第１の端部及び第２の端部を有し、係合構成要素は、第１の端部に近接して配設された係合要素の第１のセットを備える、項Ｃ１に記載のホースクランプ。
【０１５１】
項Ｃ３．係合構成要素は、第２の端部に近接して配設された係合要素の第２のセットを更に備える、項Ｃ２に記載のホースクランプ。
【０１５２】
項Ｃ４．係合要素の第１のセットは、一列に配設された少なくとも３つの係合要素を備える、項Ｃ２のホースクランプ。
【０１５３】
項Ｃ５．少なくとも３つの係合要素は、第１の端部から傾斜して一列に配設される、項Ｃ４のホースクランプ。
【０１５４】
項Ｃ６．係合要素の第２のセットは、一列に配設された少なくとも３つの係合要素を備える、項Ｃ３のホースクランプ。
【０１５５】
項Ｃ７．少なくとも３つの係合要素は、第２の端部から傾斜して一列に配設される、項Ｃ６のホースクランプ。
【０１５６】
項Ｃ８．包囲要素は、中間部分を有し、係合構成要素は、中間部分に近接して配設された係合要素の第３のセットを備える、項Ｃ１〜Ｃ７のいずれか一項に記載のホースクランプ。
【０１５７】
項Ｃ９．係合要素の第３のセットは、一列に配設された少なくとも３つの係合要素を備える、項Ｃ８のホースクランプ。
【０１５８】
項Ｄ１．対流装置を使用して温度を制御するためのシステムであって、
膨張媒体源に接続するように構成されたホースと；
対流装置であって、
空気透過性表面を有する可撓性の第１の層と；
共通の周縁の周りのシールにより第１の層に接合して空気膜構造を形成する可撓性の第２の層；及び空気膜構造内への開口部を備える、対流装置と；
ホースクランプであって、
包囲要素；及び包囲要素から延在した把持構成要素を備える、ホースクランプと；を備え、
ホースクランプは、ホースの端部を開口部に挿入したときに、対流装置とホースとの概ね気密接続を維持するように構成される、対流装置を使用して温度を制御するためのシステム。
【０１５９】
項Ｄ２．包囲要素は、内側表面及び対向する外側表面を有し、内側表面の摩擦係数は、外側表面よりも高い、項Ｄ１に記載のシステム。
【０１６０】
項Ｄ３．包囲要素の中心角は、１８０°よりも大きい、項Ｄ１又はＤ２に記載のシステム。
【０１６１】
項Ｄ４．包囲要素の中心角は、３６０°よりも小さい、項Ｄ１〜Ｄ３のいずれか一項に記載のシステム。
【０１６２】
項Ｄ５．対流装置は、
開口部の側部に沿った密閉型シールと；密閉型シール中のスリットと、更に備え、
ホースクランプの側部は、ホースクランプの使用時にスリットを通るように構成される、項Ｄ１〜Ｄ４のいずれか一項に記載のシステム。
【０１６３】
項Ｄ６．ホースクランプは、複数の係合要素を備える、包囲要素上に配設された又は包囲要素と一体の係合構成要素を更に備える、項Ｄ１〜Ｄ５のいずれか一項に記載のシステム。
【０１６４】
項Ｄ７．包囲要素は、第１の端部及び第２の端部を有し、係合構成要素は、第１の端部に近接して配設された係合要素の第１のセットを備える、項Ｄ６に記載のシステム。
【０１６５】
項Ｄ８．係合構成要素は、第２の端部に近接して配設された係合要素の第２のセットを更に備える、項Ｄ７に記載のシステム。
【０１６６】
項Ｄ９．係合要素の第１のセットは、一列に配設された少なくとも３つの係合要素を備える、項Ｄ７に記載のシステム。
【０１６７】
項Ｄ１０．少なくとも３つの係合要素は、第１の端部から傾斜して一列に配設される、項Ｄ９に記載のシステム。
【０１６８】
項Ｄ１１．係合要素の第２のセットは、一列に配設された少なくとも３つの係合要素を備える、項Ｄ８に記載のシステム。
【０１６９】
項Ｄ１２．少なくとも３つの係合要素は、第２の端部から傾斜して一列に配設される、項Ｄ１１に記載のシステム。
【０１７０】
項Ｄ１３．包囲要素は、中間部分を有し、係合構成要素は、中間部分に近接して配設された係合要素の第３のセットを備える、項Ｄ６に記載のシステム。
【０１７１】
項Ｄ１４．係合要素の第３のセットは、一列に配設された少なくとも３つの係合要素を備える、項Ｄ１３に記載のシステム。
【０１７２】
項Ｅ１．組み合わせであって、
衣類と、
構成可能な対流装置であって、
空気透過性表面を有する可撓性の第１の層と；
共通の周縁の周りのシールにより第１の層に接合して空気膜構造を形成する可撓性の第２の層であって、空気膜構造は、第１の縁部及び対向する第２の縁部を有する、可撓性の第２の層と；
空気膜構造内への少なくとも１つの開口部と；
第１の縁部に近接して配設され、空気膜構造の一部を第１の部分と第２の部分とに分離するようになっている分離装置であって、
第１の縁部から第２の縁部に向かって延在したエンクロージャシール；及びエンクロージャシール内の分離要素を備える、分離装置と；構成対流装置を衣類に取り付けるように構成された取付装置と、を備える、組み合わせ。
【０１７３】
項Ｅ２．構成可能な対流装置は、
第２の縁部に近接して、第１の部分と第２の部分との間に配設されたエアガイド装置であって、当該エアガイド装置は、第１の部分及び第２の部分のうちの少なくとも１つを屈曲させたときに、屈曲領域において膨張媒体流を方向付けるように構成される、エアガイド装置を更に備える、項Ｅ１に記載の対流装置。
【０１７４】
項Ｅ３．エンクロージャシールの少なくとも一部分は、第１の縁部に対して概ね垂直である、項Ｅ１又はＥ２に記載の組み合わせ。
【０１７５】
項Ｅ４．分離要素は、脆弱線、穿孔、及びスリットのうちの少なくとも１つを備える、項Ｅ１〜Ｅ３のいずれか一項に記載の組み合わせ。
【０１７６】
項Ｅ５．分離装置は、第２のエンクロージャシール、及び第２のエンクロージャシール内の第２の分離要素を更に備える、項Ｅ１〜Ｅ４のいずれか一項に記載の組み合わせ。
【０１７７】
項Ｅ６．エアガイド装置は、第２の縁部から空気膜構造に向かって延在したガイドシールを備える、項Ｅ２に記載の組み合わせ。
【０１７８】
項Ｅ７．第１の部分は、第１の方向に沿った第１の長手方向軸線を有し、第１の部分は、第１の長手方向軸線が第１の方向とは異なる第２の方向に沿うように配置されるようになっている、項Ｅ１〜Ｅ６のいずれか一項に記載の組み合わせ。
【０１７９】
項Ｅ８．第２の方向は、第１の方向に対して概ね垂直である、項Ｅ７に記載の組み合わせ。
【０１８０】
項Ｅ９．第２の部分は、第３の方向に沿った第２の長手方向軸線を有し、第２の部分は、第２の長手方向軸線が第３の方向とは異なる第４の方向に沿うように配置されるようになっている、項Ｅ８に記載の組み合わせ。
【０１８１】
項Ｅ１０．第４の方向は、第３の方向に対して概ね垂直である、項Ｅ９に記載の組み合わせ。
【０１８２】
項Ｅ１１．エアガイド装置は、２つのガイドシールを備え、それぞれのガイドシールは、第２の縁部から空気膜構造に向かって延在する、項Ｅ２に記載の組み合わせ。
【０１８３】
項Ｅ１２．２つのガイドシールは、互いに対して概ね垂直である、項Ｅ１１に記載の組み合わせ。
【０１８４】
項Ｅ１３．エアガイド装置は、第２の縁部の第１の位置から始まり、第２の縁部の第２の位置で終わる連続したシールを備え、第１の位置と第２の位置とは異なる、項Ｅ２に記載の組み合わせ。
【０１８５】
項Ｅ１４．空気膜構造は、第１の縁部と第２の縁部との間に平均長さを有し、分離装置の長さは、空気膜構造の平均長さの１／２以上である、項Ｅ１〜Ｅ１３のいずれか一項に記載の組み合わせ。
【０１８６】
項Ｅ１５．空気膜構造は幅を有し、第２の縁部は、第１の端部及び第２の端部を有し、エアガイド装置は、第２の縁部の第１の端部から幅の２／５の距離に始点があり、第２の縁部の第２の端部から幅の２／５の距離に終点がある領域にある、空気膜構造の中央部分に配設される、項Ｅ２に記載の組み合わせ。
【０１８７】
項Ｅ１６．エアガイド装置は、共通の周縁の周りのシールと一体の波状シールを備える、項Ｅ２に記載の組み合わせ。
【０１８８】
項Ｅ１７．エアガイド装置は、共通の周縁の周りのシールに近接して配設された複数のかしめ型シールを備える、項Ｅ２に記載の組み合わせ。
【０１８９】
項Ｅ１８．構成可能な対流装置は、人の頸部に近接して配設されるように構成された頭部加温装置を更に備え、当該頭部加温装置は、構成可能な対流装置から部分的に分離した１つ以上の膨張可能なセクションを更に備える、項Ｅ１〜Ｅ１７のいずれか一項に記載の組み合わせ。
【０１９０】
項Ｅ１９．頭部加温装置は、２つの隣接する膨張可能なセクションを備える、項Ｅ１８に記載の組み合わせ。
【０１９１】
項Ｅ２０．頭部加温装置は、Ｕ形状の膨張可能なセクションを備える、項Ｅ１８に記載の組み合わせ。
【０１９２】
項Ｅ２１．取付装置は、両面粘着性ストリップ、穿孔された引き裂きタブ、面テープ、スナップ、リベット、再配置可能な粘着性ストリップ、及び機械的な再閉鎖可能な留め具のうちの少なくとも１つを備える、項Ｅ１〜Ｅ２０のいずれか一項に記載の組み合わせ。
【０１９３】
項Ｆ１．組み合わせであって、
衣類と、
構成可能な対流装置であって、
空気透過性表面を有する可撓性の第１の層と；
共通の周縁の周りのシールにより第１の層に接合して空気膜構造を形成する可撓性の第２の層であって、空気膜構造は、第１の縁部及び対向する第２の縁部を有する、可撓性の第２の層と；
空気膜構造内への少なくとも１つの開口部と；
第２の縁部に近接して、第１の部分と第２の部分との間に配設されたエアガイド装置であって、当該エアガイド装置は、第１の部分及び第２の部分のうちの少なくとも１つを屈曲させたときに、屈曲領域において膨張媒体流を方向付けるように構成される、エアガイド装置と；構成対流装置を衣類に取り付けるように構成された取付装置と、を備える、組み合わせ。
【０１９４】
項Ｆ２．構成可能な対流装置は、第１の縁部に近接して配設され、空気膜構造の一部を第１の部分と第２の部分とに分離するようになっている分離装置であって、
第１の縁部から第２の縁部に向かって延在したエンクロージャシール；及びエンクロージャシール内の分離要素を備える、分離装置を更に備える、Ｆ１に記載の組み合わせ。
【０１９５】
項Ｆ３．エンクロージャシールの少なくとも一部分は、第１の縁部に対して概ね垂直である、項Ｆ２に記載の組み合わせ。
【０１９６】
項Ｆ４．分離要素は、脆弱線、穿孔、及びスリットのうちの少なくとも１つを備える、項Ｆ２又は項Ｆ３に記載の組み合わせ。
【０１９７】
項Ｆ５．分離装置は、第２のエンクロージャシール、及び第２のエンクロージャシール内の第２の分離要素を更に備える、項Ｆ２に記載の組み合わせ。
【０１９８】
項Ｆ６．エアガイド装置は、第２の縁部から空気膜構造に向かって延在したガイドシールを備える、項Ｆ１〜Ｆ５のいずれか一項に記載の組み合わせ。
【０１９９】
項Ｆ７．第１の部分は、第１の方向に沿った第１の長手方向軸線を有し、第１の部分は、第１の長手方向軸線が第１の方向とは異なる第２の方向に沿うように配置されるようになっている、項Ｆ１〜Ｆ６のいずれか一項に記載の組み合わせ。
【０２００】
項Ｆ８．第２の方向は、第１の方向に対して概ね垂直である、項Ｆ７に記載の組み合わせ。
【０２０１】
項Ｆ９．第２の部分は、第３の方向に沿った第２の長手方向軸線を有し、第２の部分は、第２の長手方向軸線が第３の方向とは異なる第４の方向に沿うように配置されるようになっている、項Ｆ８に記載の組み合わせ。
【０２０２】
項Ｆ１０．第４の方向は、第３の方向に対して概ね垂直である、項Ｆ９に記載の組み合わせ。
【０２０３】
項Ｆ１１．エアガイド装置は、２つのガイドシールを備え、それぞれのガイドシールは、第２の縁部から空気膜構造に向かって延在する、項Ｆ１〜Ｆ１０のいずれか一項に記載の組み合わせ。
【０２０４】
項Ｆ１２．２つのガイドシールは、互いに対して概ね垂直である、項Ｆ１１に記載の組み合わせ。
【０２０５】
項Ｆ１３．エアガイド装置は、第２の縁部の第１の位置から始まり、第２の縁部の第２の位置で終わる連続したシールを備え、第１の位置と第２の位置とは異なる、項Ｆ１〜Ｆ１２のいずれか一項に記載の組み合わせ。
【０２０６】
項Ｆ１４．空気膜構造は、第１の縁部と第２の縁部との間に平均長さを有し、分離装置の長さは、空気膜構造の平均長さの１／２以上である、項Ｆ１〜Ｆ１３のいずれか一項に記載の組み合わせ。
【０２０７】
項Ｆ１５．空気膜構造は幅を有し、第２の縁部は、第１の端部及び第２の端部を有し、エアガイド装置は、第２の縁部の第１の端部から幅の２／５の距離に始点があり、第２の縁部の第２の端部から幅の２／５の距離に終点がある領域にある、空気膜構造の中央部分に配設される、項Ｆ１〜Ｆ１４のいずれか一項に記載の組み合わせ。
【０２０８】
項Ｆ１６．エアガイド装置は、共通の周縁の周りのシールと一体の波状シールを備える、項Ｆ１〜Ｆ１５のいずれか一項に記載の組み合わせ。
【０２０９】
項Ｆ１７．エアガイド装置は、共通の周縁の周りのシールに近接して配設された複数のかしめ型シールを備える、項Ｆ１〜Ｆ１６のいずれか一項に記載の組み合わせ。
【０２１０】
項Ｆ１８．構成可能な対流装置は、人の頸部に近接して配設されるように構成された頭部加温装置を更に備え、当該頭部加温装置は、構成可能な対流装置から部分的に分離した１つ以上の膨張可能なセクションを更に備える、項Ｆ１〜Ｆ１７のいずれか一項に記載の組み合わせ。
【０２１１】
項Ｆ１９．頭部加温装置は、２つの隣接する膨張可能なセクションを備える、項Ｆ１８に記載の組み合わせ。
【０２１２】
項Ｆ２０．頭部加温装置は、Ｕ形状の膨張可能なセクションを備える、項Ｆ１８に記載の組み合わせ。
【０２１３】
項Ｆ２１．取付装置は、両面粘着性ストリップ、穿孔された引き裂きタブ、面テープ、スナップ、リベット、再配置可能な粘着性ストリップ、及び機械的な再閉鎖可能な留め具のうちの少なくとも１つを備える、項Ｆ１〜Ｆ２０のいずれか一項に記載の組み合わせ。
【０２１４】
上述の実施形態は本発明の様々な態様の説明を容易にするように詳細に記載されているため、本発明は、上述の特定の実施例及び実施形態に限定されるとみなされるべきではない。むしろ、本発明は、添付の特許請求の範囲及びそれらの均等物によって定義される本発明の趣旨及び範囲に収まる様々な修正、均等のプロセス、及び代替のデバイスを含む、本発明の全ての態様を扱うことが理解されるべきである。
【図１Ａ】
2018500119.tif 000003
【図１Ｂ】
2018500119.tif 000004
【図１Ｃ】
2018500119.tif 000005
【図２Ａ】
2018500119.tif 000006
【図２Ｂ】
2018500119.tif 000007
【図２Ｃ】
2018500119.tif 000008
【図３Ａ】
2018500119.tif 000009
【図３Ｂ】
2018500119.tif 000010
【図３Ｃ】
2018500119.tif 000011
【図３Ｄ】
2018500119.tif 000012
【図３Ｅ】
2018500119.tif 000013
【図３Ｆ】
2018500119.tif 000014
【図３Ｇ】
2018500119.tif 000015
【図３Ｈ】
2018500119.tif 000016
【図３Ｉ】
2018500119.tif 000017
【図３Ｊ】
2018500119.tif 000018
【図３Ｋ】
2018500119.tif 000019
【図３Ｌ】
2018500119.tif 000020
【図４Ａ】
2018500119.tif 000021
【図４Ｂ】
2018500119.tif 000022
【図４Ｃ】
2018500119.tif 000023
【図４Ｄ】
2018500119.tif 000024
【図４Ｅ】
2018500119.tif 000025
【図４Ｆ】
2018500119.tif 000026
【図４Ｇ】
2018500119.tif 000027
【図４Ｈ】
2018500119.tif 000028
【図５Ａ】
2018500119.tif 000029
【図５Ｂ】
2018500119.tif 000030
【図５Ｃ】
2018500119.tif 000031
【図６Ａ】
2018500119.tif 000032
【図６Ｂ】
2018500119.tif 000033
【図６Ｃ】
2018500119.tif 000034
【図６Ｄ】
2018500119.tif 000035
【図６Ｅ】
2018500119.tif 000036
【図６Ｆ】
2018500119.tif 000037
【図６Ｇ】
2018500119.tif 000038
【図７】
2018500119.tif 000039
【図８】
2018500119.tif 000040
【図９】
2018500119.tif 000041
【国際調査報告】
2018500119.tif 000042
2018500119.tif 000043
2018500119.tif 000044